(57)【特許請求の範囲】
【請求項１】
セル間干渉を管理する方法であって、
１つまたは複数の近隣セルを示す近隣セル識別セットを受信することと、
前記１つまたは複数の近隣セルのうちの少なくとも１つによって共有された相対許可チャネルに対応する、相対許可チャネルリソースインデックスを受信することと、
前記１つまたは複数の近隣セル内のユーザ機器（ＵＥ）に関連付けられたセル間干渉を検出することと、
前記ＵＥに関連付けられた前記セル間干渉を検出したことに応答して、前記相対許可チャネル上で前記ＵＥへ非サービング相対許可メッセージを送信することと
を備える方法。
【請求項２】
前記セル間干渉がセル間干渉しきい値に達していると決定することをさらに備え、前記非サービング相対許可メッセージを送信することは、前記セル間干渉しきい値に達すると決定することに基づく、
請求項１に記載の方法。
【請求項３】
前記相対許可チャネル上での前記ＵＥへの前記非サービング相対許可メッセージの前記送信は、前記ＵＥに関連付けられた前記セル間干渉がしきい値に達するときに生じる、
請求項１に記載の方法。
【請求項４】
前記１つまたは複数の近隣セルの各々が前記相対許可チャネルを介して通信するように構成されるかどうかを示す、前記１つまたは複数の近隣セルの各々に関連付けられた適合性インジケータを受信することをさらに備え、前記送信することは、前記適合性インジケータに基づく、
請求項１に記載の方法。
【請求項５】
前記ＵＥへ送信することは、ＣＥＬＬ＿ＦＡＣＨ状態における前記ＵＥへ送信することをさらに備える、
請求項１に記載の方法。
【請求項６】
前記相対許可チャネル上で送信することは、１つまたは複数のノードＢによって共有されたチャネル上で送信することをさらに備える、
請求項１に記載の方法。
【請求項７】
セル間干渉を管理するための装置であって、
１つまたは複数の近隣セルを示す近隣セル識別セットを受信するための手段と、
前記１つまたは複数の近隣セルのうちの少なくとも１つによって共有された相対許可チャネルに対応する、相対許可チャネルリソースインデックスを受信するための手段と、
前記１つまたは複数の近隣セル内のユーザ機器（ＵＥ）に関連付けられたセル間干渉を検出するための手段と、
前記ＵＥに関連付けられた前記セル間干渉を検出したことに応答して、前記相対許可チャネル上で前記ＵＥへ非サービング相対許可メッセージを送信するための手段と
を備える装置。
【請求項８】
前記セル間干渉がセル間干渉しきい値に達していると決定するための手段をさらに備え、前記非サービング相対許可メッセージを送信するための前記手段は、前記セル間干渉しきい値に達すると決定することに基づいて、前記非サービング相対許可メッセージを送信する、
請求項７に記載の装置。
【請求項９】
前記相対許可チャネル上で前記ＵＥへ前記非サービング相対許可メッセージを送信するための前記手段は、前記ＵＥに関連付けられた前記セル間干渉がしきい値に達するときに生じる、
請求項７に記載の装置。
【請求項１０】
前記ＵＥへ送信する前記手段は、ＣＥＬＬ＿ＦＡＣＨ状態における前記ＵＥへ送信するための手段をさらに備える、
請求項７に記載の装置。
【請求項１１】
セル間干渉を管理するためのコンピュータプログラムであって、
１つまたは複数の近隣セルを示す近隣セル識別セットを受信することと、
前記１つまたは複数の近隣セルのうちの少なくとも１つによって共有された相対許可チャネルに対応する、相対許可チャネルリソースインデックスを受信することと、
前記１つまたは複数の近隣セル内のユーザ機器（ＵＥ）に関連付けられたセル間干渉を検出することと、
前記ＵＥに関連付けられた前記セル間干渉を検出したことに応答して、前記相対許可チャネル上で前記ＵＥへ非サービング相対許可メッセージを送信することと
を少なくとも１つのプロセッサに行わせるためのコードを備える
コンピュータプログラム。
【請求項１２】
前記セル間干渉がセル間干渉しきい値に達していると決定することを少なくとも１つのプロセッサに行わせるためのコードをさらに備え、前記非サービング相対許可メッセージを送信することを少なくとも１つのプロセッサに行わせるための前記コードは、前記セル間干渉しきい値に達すると決定することに基づいて、前記非サービング相対許可メッセージを送信することを少なくとも１つのプロセッサに行わせるためのコードを備える、
請求項１１に記載のコンピュータプログラム。
【請求項１３】
前記相対許可チャネル上での前記ＵＥへの前記非サービング相対許可メッセージの送信を少なくとも１つのプロセッサに行わせるための前記コードは、前記ＵＥに関連付けられた前記セル間干渉がしきい値に達するとき、前記非サービング相対許可メッセージを送信することを少なくとも１つのプロセッサに行わせるためのコードを備える、
請求項１１に記載のコンピュータプログラム。
【請求項１４】
前記ＵＥへ送信することを少なくとも１つのプロセッサに行わせるための前記コードは、ＣＥＬＬ＿ＦＡＣＨ状態における前記ＵＥへ送信することを少なくとも１つのプロセッサに行わせるためのコードをさらに備える、
請求項１１に記載のコンピュータプログラム。
【請求項１５】
セル間干渉を管理するための装置であって、
少なくとも１つのプロセッサと、
前記少なくとも１つのプロセッサに結合されたメモリとを備え、前記少なくとも１つのプロセッサが、
１つまたは複数の近隣セルを示す近隣セル識別セットを受信することと、
前記１つまたは複数の近隣セルのうちの少なくとも１つによって共有された相対許可チャネルに対応する、相対許可チャネルリソースインデックスを受信することと、
前記１つまたは複数の近隣セル内のユーザ機器（ＵＥ）に関連付けられたセル間干渉を検出することと、
前記ＵＥに関連付けられた前記セル間干渉を検出したことに応答して、前記相対許可チャネル上で前記ＵＥへ非サービング相対許可メッセージを送信することと
を行うように構成される装置。
【請求項１６】
前記少なくとも１つのプロセッサは、前記セル間干渉がセル間干渉しきい値に達していると決定することを行うようにさらに構成され、前記非サービング相対許可メッセージを送信することが、前記セル間干渉しきい値に達すると決定することに基づく、
請求項１５に記載の装置。
【請求項１７】
前記相対許可チャネル上での前記ＵＥへの前記非サービング相対許可メッセージの前記送信は、前記ＵＥに関連付けられた前記セル間干渉がしきい値に達するときに生じる、
請求項１５に記載の装置。
【請求項１８】
前記少なくとも１つのプロセッサは、前記１つまたは複数の近隣セルの各々が前記相対許可チャネルを介して通信するように構成されるかどうかを示す、前記１つまたは複数の近隣セルの各々に関連付けられた適合性インジケータを受信することを行うようにさらに構成され、前記送信することが、前記適合性インジケータに基づく、
請求項１５に記載の装置。
【請求項１９】
前記ＵＥへ送信することは、ＣＥＬＬ＿ＦＡＣＨ状態における前記ＵＥへ送信することをさらに備える、
請求項１５に記載の装置。
【請求項２０】
前記相対許可チャネル上で送信することが、１つまたは複数のノードＢによって共有されたチャネル上で送信することをさらに備える、
請求項１５に記載の装置。
【請求項２１】
セル間干渉を管理するための方法であって、
ユーザ機器（ＵＥ）において、前記ＵＥがソフトハンドオーバ領域内であるかどうかを判定することと、
前記判定に基づいて、相対許可チャネルをモニタすることと、
前記相対許可チャネルをモニタすることを開始した後、前記ＵＥがソフトハンドオーバ領域内でない場合、前記相対許可チャネルのモニタを停止することと、
非サービング近隣セルから非サービング相対許可メッセージを受信することと、
前記非サービング相対許可メッセージに基づいて、１つまたは複数のアップリンク伝送特性を調節することと
を備える方法。
【請求項２２】
前記ＵＥは、ＣＥＬＬ＿ＦＡＣＨ状態にあり、前記ソフトハンドオーバ領域は、前記ＵＥがＣＥＬＬ＿ＤＣＨ状態で動作中であった場合に、前記ＵＥがソフトハンドオーバに利用可能になるであろう領域として定義される、
請求項２１に記載の方法。
【請求項２３】
前記ＵＥがソフトハンドオーバ領域内であるかどうかを判定することは、
最小のセルモニタ期間にわたって生じる、請求項２１に記載の方法。
【請求項２４】
前記ＵＥがソフトハンドオーバ領域内であるかどうかを判定することは、
１つまたは複数の近隣セルノードＢから送信された１つまたは複数のパイロット信号を測定することと、
前記１つまたは複数のパイロット信号を、ソフトハンドオーバしきい値と比較することと、
前記１つまたは複数のパイロット信号が前記ソフトハンドオーバしきい値を満たすか、または越えると決定することと
をさらに備える、請求項２１に記載の方法。
【請求項２５】
セル間干渉を管理するための装置であって、
ユーザ機器（ＵＥ）において、前記ＵＥがソフトハンドオーバ領域内であるかどうかを判定するための手段と、
前記判定に基づいて、相対許可チャネルをモニタするための手段と、
前記相対許可チャネルをモニタすることを開始した後、前記ＵＥがソフトハンドオーバ領域内でない場合、前記相対許可チャネルのモニタを停止するための手段と、
非サービング近隣セルから非サービング相対許可メッセージを受信するための手段と、
前記非サービング相対許可メッセージに基づいて、１つまたは複数のアップリンク伝送特性を調節するための手段と
を備える装置。
【請求項２６】
前記ＵＥは、ＣＥＬＬ＿ＦＡＣＨ状態にあり、前記ソフトハンドオーバ領域は、前記ＵＥがＣＥＬＬ＿ＤＣＨ状態で動作中であった場合に、前記ＵＥがソフトハンドオーバに利用可能になるであろう領域として定義される、
請求項２５に記載の装置。
【請求項２７】
セル間干渉を管理するためのコンピュータプログラムであって、
ユーザ機器（ＵＥ）において、前記ＵＥがソフトハンドオーバ領域内であるかどうかを判定することと、
前記判定に基づいて、相対許可チャネルをモニタすることと、
前記相対許可チャネルをモニタすることを開始した後、前記ＵＥがソフトハンドオーバ領域内でない場合、前記相対許可チャネルのモニタを停止することと、
非サービング近隣セルから非サービング相対許可メッセージを受信することと、
前記非サービング相対許可メッセージに基づいて、１つまたは複数のアップリンク伝送特性を調節することと
を少なくとも１つのプロセッサに行わせるためのコードを備えるコンピュータプログラム。
【請求項２８】
前記ＵＥは、ＣＥＬＬ＿ＦＡＣＨ状態にあり、前記ソフトハンドオーバ領域は、前記ＵＥがＣＥＬＬ＿ＤＣＨ状態で動作中であった場合に、前記ＵＥがソフトハンドオーバに利用可能になるであろう領域として定義される、
請求項２７に記載のコンピュータプログラム。
【請求項２９】
セル間干渉を管理するための装置であって、
少なくとも１つのプロセッサと、
前記少なくとも１つのプロセッサに結合されたメモリとを備え、前記少なくとも１つのプロセッサは、
ユーザ機器（ＵＥ）において、前記ＵＥがソフトハンドオーバ領域内であるかどうかを判定することと、
前記判定に基づいて、相対許可チャネルをモニタすることと、
前記相対許可チャネルをモニタすることを開始した後、前記ＵＥがソフトハンドオーバ領域内でない場合、前記相対許可チャネルのモニタを停止することと、
非サービング近隣セルから非サービング相対許可メッセージを受信することと、
前記非サービング相対許可メッセージに基づいて、１つまたは複数のアップリンク伝送特性を調節することと
を行うように構成される装置。
【請求項３０】
前記ＵＥは、ＣＥＬＬ＿ＦＡＣＨ状態にあり、前記ソフトハンドオーバ領域は、前記ＵＥがＣＥＬＬ＿ＤＣＨ状態で動作中であった場合に、前記ＵＥがソフトハンドオーバに利用可能になるであろう領域として定義される、
請求項２９に記載の装置。
【発明の詳細な説明】
【関連技術】
【０００１】
米国特許法第１１９条に基づく優先権の主張  
本出願は、本出願の譲受人に譲渡され、参照により本明細書に明確に組み込まれる、２０１１年２月１４日に出願された「Method of Inter-Cell Uplink Interference Control in CELL_FACH, Flat Architecture and Heterogeneous Networks for HSPA」と題する仮出願第６１／４４２，６６３号の優先権を主張する。本出願は、本出願の譲受人に譲渡され、参照により本明細書に明確に組み込まれる、２０１１年１１月７日に出願された「Method of Inter-Cell Uplink Interference Control in CELL_FACH, Flat Architecture and Heterogeneous Networks for HSPA」と題する仮出願第６１／５５６，５８７号の優先権をさらに主張する。
【技術分野】
【０００２】
本開示の態様は、一般にワイヤレス通信システムに関し、より詳細には、ワイヤレス信号干渉管理に関する。
【背景技術】
【０００３】
ワイヤレス通信ネットワークは、電話、ビデオ、データ、メッセージング、ブロードキャストなどの様々な通信サービスを提供するために広く展開されている。そのようなネットワークは、通常、多元接続ネットワークであり、利用可能なネットワークリソースを共有することによって複数のユーザのための通信をサポートする。そのようなネットワークの一例は、ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）である。ＵＴＲＡＮは、３ｒｄ  Ｇｅｎｅｒａｔｉｏｎ  Ｐａｒｔｎｅｒｓｈｉｐ  Ｐｒｏｊｅｃｔ（３ＧＰＰ）によってサポートされる第３世代（３Ｇ）モバイルフォン技術である、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）の一部として定義された無線アクセスネットワーク（ＲＡＮ）である。ＵＭＴＳは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）技術の後継であり、現在、広帯域符号分割多元接続（Ｗ−ＣＤＭＡ）（登録商標）、時分割符号分割多元接続（ＴＤ−ＣＤＭＡ）、および、時分割同期符号分割多元接続（ＴＤ−ＳＣＤＭＡ）など、様々なエアインターフェース規格をサポートする。ＵＭＴＳはまた、高速パケットアクセス（ＨＳＰＡ）など、拡張型３Ｇデータ通信プロトコルをもサポートし、このプロトコルは、より高いデータ転送速度および容量を、関連するＵＭＴＳネットワークに提供する。
【０００４】
モバイルブロードバンドアクセスに対する需要が高まり続けているので、モバイルブロードバンドアクセスに対する増大する需要を満たすためだけでなく、モバイル通信のユーザエクスペリエンスを進化および向上させるためにも、ＵＭＴＳ技術を進化させる研究および開発が続けられている。
【０００５】
ＵＭＴＳネットワークなど、いくつかのワイヤレスネットワークでは、ユーザ機器（ＵＥ）は、いくつかの状態で動作することがあり、そのうちの２つは、ＣＥＬＬ＿ＤＣＨおよびＣＥＬＬ＿ＦＡＣＨである。ＣＥＬＬ＿ＤＣＨ状態は、アップリンクおよびダウンリンクにおける専用物理チャネルと、ソフトハンドオーバプロシージャに参加するための能力とを有することによって、特徴づけられる。ＣＥＬＬ＿ＦＡＣＨ状態におけるＵＥは、しかしながら、専用物理チャネルを有しておらず、ソフトハンドオーバに参加することができない。ＣＥＬＬ＿ＦＡＣＨ状態においてソフトハンドオーバに参加するためのこの能力の欠如は、特に、ＣＥＬＬ＿ＦＡＣＨにおける多数のＵＥが近隣セルに隣接するサービングセルにキャンプオンする場合、近隣セルにおけるアップリンク干渉に潜在的につながることがある。
【０００６】
さらに、ＣＥＬＬ＿ＦＡＣＨにおけるセル再選択プロシージャは、低速および煩雑である。結果として、ＣＥＬＬ＿ＦＡＣＨにおいて動作中のＵＥがアップリンク上で送信を開始するとき、サービングセルは、ダウンリンク上で最も強いセルではないことがある。サービングセルと近隣の最も強いダウンリンクセルとの間のいかなるアップリンク不平衡もない場合に、ＵＥアップリンク送信は、１つまたは複数の近隣セルにおいて干渉を引き起こすことがある。加えて、サービングセルが最も強いダウンリンクセルである場合でも、近隣セルへのアップリンクがサービングセルへのアップリンクよりも強かった場合、制御不能な干渉状態が近隣セルにおいて存在する可能性がある。
【０００７】
この干渉現象はまた、ピコセル、フェムトセル、セルラー基地局、マクロセル、小型セルなど、様々な形式、技術、およびネットワークタイプのネットワークアクセスデバイスを含み得る、異種ネットワーク内で起こることもある。異種ネットワークでは、ネットワークアクセスデバイスおよび／またはセルの異なる技術のために、ソフトハンドオフが利用可能でないことがあるので、ＵＥが別のネットワークアクセスデバイスに近いサービングセル上でＣＥＬＬ＿ＦＡＣＨモードである場合、アップリンク干渉が起こることがある。
【発明の概要】
【０００８】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００９】
本開示の態様は、セル間干渉を管理する方法を提供し、この方法は、１つまたは複数の近隣セルを示す近隣セル識別セットを受信することと、１つまたは複数の近隣セルのうちの少なくとも１つによって共有された相対許可チャネルに対応する、相対許可チャネルリソースインデックスを受信することと、１つまたは複数の近隣セル内のユーザ機器（ＵＥ）に関連付けられたセル間干渉を検出することと、相対許可チャネル上でＵＥへ非サービング相対許可メッセージを送信することとを含む。
【００１０】
さらなる態様では、本開示は、セル間干渉を管理するための装置を提示し、この装置は、１つまたは複数の近隣セルを示す近隣セル識別セットを受信するための手段と、１つまたは複数の近隣セルのうちの少なくとも１つによって共有された相対許可チャネルに対応する、相対許可チャネルリソースインデックスを受信するための手段と、１つまたは複数の近隣セル内のユーザ機器（ＵＥ）に関連付けられたセル間干渉を検出するための手段と、相対許可チャネル上でＵＥへ非サービング相対許可メッセージを送信するための手段とを含む。
【００１１】
本明細書でさらに提示するものは、セル間干渉を管理するためのコンピュータプログラム製品であり、このコンピュータプログラム製品は、１つまたは複数の近隣セルを示す近隣セル識別セットを受信することと、１つまたは複数の近隣セルのうちの少なくとも１つによって共有された相対許可チャネルに対応する、相対許可チャネルリソースインデックスを受信することと、１つまたは複数の近隣セル内のユーザ機器（ＵＥ）に関連付けられたセル間干渉を検出することと、相対許可チャネル上でＵＥへ非サービング相対許可メッセージを送信することとを行うためのコードを備える、コンピュータ可読媒体を含む。
【００１２】
加えて、本明細書で提示するものは、セル間干渉を管理する方法であり、この方法は、ユーザ機器（ＵＥ）において、ＵＥがソフトハンドオーバ領域内であるかどうかを判定することと、その判定に基づいて、相対許可チャネルをモニタすることと、非サービング近隣セルから非サービング相対許可メッセージを受信することと、非サービング相対許可メッセージに基づいて、１つまたは複数のアップリンク伝送特性を調節することとを含む。
【００１３】
その上、本開示は、セル間干渉を管理するための装置を提供し、この装置は、ユーザ機器（ＵＥ）において、ＵＥがソフトハンドオーバ領域内であるかどうかを判定するための手段と、その判定に基づいて、相対許可チャネルをモニタするための手段と、非サービング近隣セルから非サービング相対許可メッセージを受信するための手段と、非サービング相対許可メッセージに基づいて、１つまたは複数のアップリンク伝送特性を調節するための手段とを含む。
【００１４】
加えて、本開示で企図するものは、セル間干渉を管理するためのコンピュータプログラム製品であり、このコンピュータプログラム製品は、ユーザ機器（ＵＥ）において、ＵＥがソフトハンドオーバ領域内であるかどうかを判定することと、その判定に基づいて、相対許可チャネルをモニタすることと、非サービング近隣セルから非サービング相対許可メッセージを受信することと、非サービング相対許可メッセージに基づいて、１つまたは複数のアップリンク伝送特性を調節することとを行うためのコードを備える、コンピュータ可読媒体を含む。
【００１５】
さらに、本明細書で提示するものは、セル間干渉を管理するための装置であり、この装置は、少なくとも１つのプロセッサと、少なくとも１つのプロセッサに結合されたメモリとを含み、少なくとも１つのプロセッサが、ユーザ機器（ＵＥ）において、ＵＥがソフトハンドオーバ領域内であるかどうかを判定することと、その判定に基づいて、相対許可チャネルをモニタすることと、非サービング近隣セルから非サービング相対許可メッセージを受信することと、非サービング相対許可メッセージに基づいて、１つまたは複数のアップリンク伝送特性を調節することとを行うように構成される。
【００１６】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【図面の簡単な説明】
【００１７】
【図１】処理システムを採用する装置のためのハードウェア実装形態の一例を示すブロック図。
【図２】電気通信システムの一例を概念的に示すブロック図。
【図３】アクセスネットワークの一例を示す概念図。
【図４】ユーザプレーンおよび制御プレーンのための無線プロトコルアーキテクチャの一例を示す概念図。
【図５】電気通信システムにおいてＵＥと通信しているノードＢの一例を概念的に示すブロック図。
【図６】本開示のいくつかの態様におけるワイヤレス通信システムのシステム図。
【図７】本開示におけるノードＢにおいてセル間干渉を管理するための例示的な方法のフロー図。
【図８】本開示におけるＵＥにおいてアップリンクトラフィック特性を調節するための例示的な方法のフロー図。
【図９】本開示における例示的な近隣ノードＢの態様のブロック図。
【図１０】本開示における例示的なＵＥの態様のブロック図。
【図１１】本開示のノードＢ内の電気的コンポーネントの例示的な論理グルーピングの態様のブロック図。
【図１２】本開示のＵＥ内の電気的コンポーネントの例示的な論理グルーピングの態様のブロック図。
【発明を実施するための形態】
【００１８】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造およびコンポーネントをブロック図の形式で示す。
【００１９】
図１は、本明細書で説明する干渉管理機能を実行するように構成された処理システム１１４を採用する装置１００のための、ハードウェア実装形態の一例を示すブロック図である。この例では、処理システム１１４は、バス１０２によって概略的に表されるバスアーキテクチャを用いて実装され得る。バス１０２は、処理システム１１４の特定の適用例および全体的な設計制約に応じて、任意の数の相互接続バスとブリッジとを含み得る。バス１０２は、プロセッサ１０４によって概略的に表される１つまたは複数のプロセッサと、コンピュータ可読媒体１０６によって概略的に表されるコンピュータ可読媒体とを含む、様々な回路を互いにリンクする。バス１０２はまた、タイミングソース、周辺機器、電圧調整器、および電力管理回路など、様々な他の回路をリンクし得るが、これらの回路は当技術分野においてよく知られており、したがって、これ以上説明しない。バスインターフェース１０８は、バス１０２とトランシーバ１１０との間のインターフェースを与える。トランシーバ１１０は、伝送媒体上で様々な他の装置と通信するための手段を与える。装置の性質に応じて、ユーザインターフェース１１２（たとえば、キーパッド、ディスプレイ、スピーカー、マイクロフォン、ジョイスティック）も与えられ得る。
【００２０】
プロセッサ１０４は、バス１０２を管理することと、コンピュータ可読媒体１０６に記憶されたソフトウェアの実行を含む一般的な処理とを担当する。ソフトウェアは、プロセッサ１０４によって実行されたとき、処理システム１１４に、任意の特定の装置のための以下で説明する様々な機能を実行させる。コンピュータ可読媒体１０６はまた、ソフトウェアを実行するときにプロセッサ１０４によって操作されるデータを記憶するために使用され得る。
【００２１】
本開示全体にわたって提示する様々な概念は、幅広い様々な電気通信システム、ネットワークアーキテクチャおよび通信規格にわたって実施され得る。例として、限定はしないが、図２に示す本開示の態様を、本明細書で説明する干渉管理機能を実行するように構成することができ、Ｗ−ＣＤＭＡエアインターフェースを採用するＵＭＴＳシステム２００に関して提示する。ＵＭＴＳネットワークは、コアネットワーク（ＣＮ）２０４、ＵＭＴＳ  テレストリアルラジオアクセスネットワーク（ＵＴＲＡＮ）２０２、およびユーザ機器（ＵＥ）２１０という、３つの対話ドメインを含む。この例では、ＵＴＲＡＮ２０２は、電話、ビデオ、データ、メッセージング、ブロードキャストを含む様々なワイヤレスサービス、および／または他のサービスを提供する。ＵＴＲＡＮ２０２は、無線ネットワークコントローラ（ＲＮＣ）２０６などのそれぞれのＲＮＣによって各々が制御される、無線ネットワークサブシステム（ＲＮＳ）２０７などの複数のＲＮＳを含み得る。ここで、ＵＴＲＡＮ２０２は、本明細書に示すＲＮＣ２０６とＲＮＳ２０７とに加えて、任意の数のＲＮＣ２０６とＲＮＳ２０７とを含み得る。ＲＮＣ２０６は、特に、ＲＮＳ２０７内で無線リソースを割り当て、再構成し、解放することを担当する装置である。ＲＮＣ２０６は、任意の好適なトランスポートネットワークを使用して、直接物理接続、仮想ネットワークなど、様々なタイプのインターフェースを通してＵＴＲＡＮ２０２中の他のＲＮＣ（図示せず）と相互接続され得る。
【００２２】
ＵＥ２１０とノードＢ２０８との間の通信は、物理（ＰＨＹ）レイヤと媒体アクセス制御（ＭＡＣ）レイヤとを含むものと見なされ得る。さらに、それぞれのノードＢ２０８を介したＵＥ２１０とＲＮＣ２０６との間の通信は、無線リソース制御（ＲＲＣ）レイヤを含むものと見なされ得る。本明細書では、ＰＨＹレイヤはレイヤ１と見なされ得、ＭＡＣレイヤはレイヤ２と見なされ得、ＲＲＣレイヤはレイヤ３と見なされ得る。以下の情報では、参照により本明細書に組み込まれる、ＲＲＣ  プロトコル仕様書、３ＧＰＰ  ＴＳ２５．３３１  ｖ９．１．０において紹介されている用語を利用する。
【００２３】
ＲＮＳ２０７によってカバーされる地理的領域は、いくつかのセルに分割され得、無線トランシーバ装置が各セルをサービスし得る。無線トランシーバ装置は、ＵＭＴＳ適用例では一般にノードＢと呼ばれるが、当業者によって、基地局（ＢＳ）、送受信基地局（ＢＴＳ）、無線基地局、無線トランシーバ、トランシーバ機能、基本サービスセット（ＢＳＳ）、拡張サービスセット（ＥＳＳ）、アクセスポイント（ＡＰ）、または何らかの他の好適な用語でも呼ばれることがある。明確のために、各ＲＮＳ２０７中に３つのノードＢ２０８が示されているが、ＲＮＳ２０７は任意の数のワイヤレスノードＢを含み得る。ノードＢ２０８は、任意の数のモバイル装置にＣＮ２０４へのワイヤレスアクセスポイントを与える。モバイル装置の例には、セルラー電話、スマートフォン、セッション開始プロトコル（ＳＩＰ）電話、ラップトップ、ノートブック、ネットブック、スマートブック、携帯情報端末（ＰＤＡ）、衛星無線、全地球測位システム（ＧＰＳ）デバイス、マルチメディアデバイス、ビデオデバイス、デジタルオーディオプレーヤ（たとえば、ＭＰ３プレーヤ）、カメラ、ゲーム機、または任意の他の同様の機能デバイスがある。モバイル装置は、ＵＭＴＳ適用例では一般にＵＥと呼ばれるが、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または何らかの他の好適な用語でも呼ばれることがある。ＵＭＴＳシステムでは、ＵＥ２１０は、ネットワークへのユーザの加入情報を含んでいる汎用加入者識別モジュール（ＵＳＩＭ）２１１をさらに含み得る。説明のために、いくつかのノードＢ２０８と通信している１つのＵＥ２１０が示されている。順方向リンクとも呼ばれるＤＬは、ノードＢ２０８からＵＥ２１０への通信リンクを指し、逆方向リンクとも呼ばれるＵＬは、ＵＥ２１０からノードＢ２０８への通信リンクを指す。
【００２４】
ＣＮ２０４は、ＵＴＲＡＮ２０２などの１つまたは複数のアクセスネットワークとインターフェースする。図示のように、ＣＮ２０４は、ＧＳＭコアネットワークである。ただし、当業者なら認識するように、本開示全体にわたって提示する様々な概念は、ＧＳＭネットワーク以外のタイプのＣＮへのアクセスをＵＥに与えるために、ＲＡＮ、または他の好適なアクセスネットワークにおいて実装され得る。
【００２５】
ＣＮ２０４は、回線交換（ＣＳ）ドメインと、パケット交換（ＰＳ）ドメインとを含む。回線交換要素の一部は、モバイルサービス交換センター（ＭＳＣ）、ビジターロケーションレジスタ（ＶＬＲ）およびゲートウェイＭＳＣである。パケット交換要素は、サービングＧＰＲＳサポートノード（ＳＧＳＮ）と、ゲートウェイＧＰＲＳサポートノード（ＧＧＳＮ）とを含む。ＥＩＲ、ＨＬＲ、ＶＬＲおよびＡｕＣのような、いくつかのネットワーク要素は、回線交換ドメインとパケット交換ドメインの両方によって共有され得る。図示の例では、ＣＮ２０４は、ＭＳＣ２１２およびＧＭＳＣ２１４を用いて、回線交換サービスをサポートする。いくつかの適用例では、ＧＭＳＣ２１４は、メディアゲートウェイ（ＭＧＷ）と呼ばれることがある。ＲＮＣ２０６などの１つまたは複数のＲＮＣは、ＭＳＣ２１２に接続され得る。ＭＳＣ２１２は、呼設定機能と、呼ルーティング機能と、ＵＥモビリティ機能とを制御する装置である。ＭＳＣ２１２はまた、ＵＥがＭＳＣ２１２のカバレージエリア中にある持続時間の間の加入者関係情報を含んでいるＶＬＲを含む。ＧＭＳＣ２１４は、ＵＥが回線交換ネットワーク２１６にアクセスするために、ＭＳＣ２１２を介したゲートウェイを与える。ＧＭＳＣ２１４は、特定のユーザが加入したサービスの詳細を反映するデータなどの加入者データを含んでいるホームロケーションレジスタ（ＨＬＲ）２１５を含む。また、ＨＬＲは、加入者固有の認証データを含んでいる認証センター（ＡｕＣ）に関連付けられる。特定のＵＥのための呼が受信されると、ＧＭＳＣ２１４は、ＨＬＲ２１５に問い合わせてＵＥのロケーションを決定し、そのロケーションをサービスする特定のＭＳＣに呼をフォワーディングする。
【００２６】
ＣＮ２０４は、サービングＧＰＲＳサポートノード（ＳＧＳＮ）２１８およびゲートウェイＧＰＲＳサポートノード（ＧＧＳＮ）２２０を用いて、パケットデータサービスをもサポートする。Ｇｅｎｅｒａｌ  Ｐａｃｋｅｔ  Ｒａｄｉｏ  Ｓｅｒｖｉｃｅを表すＧＰＲＳは、標準の回線交換データサービスで利用可能な速度よりも高い速度でパケットデータサービスを提供するように設計されている。ＧＧＳＮ２２０は、パケットベースネットワーク２２２へのＵＴＲＡＮ２０２のための接続を与える。パケットベースネットワーク２２２は、インターネット、プライベートデータネットワーク、または何らかの他の好適なパケットベースネットワークであり得る。ＧＧＳＮ２２０の主要機能は、ＵＥ２１０にパケットベースネットワーク接続性を与えることである。データパケットは、ＳＧＳＮ２１８を通ってＧＧＳＮ２２０とＵＥ２１０との間で転送され得、ＳＧＳＮ２１８は、主に、ＭＳＣ２１２が回線交換ドメインで実行するのと同じ機能をパケットベースドメインで実行する。
【００２７】
ＵＭＴＳのためのエアインターフェースは、スペクトラム拡散直接シーケンス符号分割多元接続（ＤＳ−ＣＤＭＡ）システムを利用し得る。スペクトラム拡散ＤＳ−ＣＤＭＡは、チップと呼ばれる擬似ランダムビットのシーケンスによる乗算によって、ユーザデータを拡散する。ＵＭＴＳのための「ワイドバンド」Ｗ−ＣＤＭＡエアインターフェースは、そのような直接シーケンススペクトラム拡散技術に基づいており、さらに周波数分割複信（ＦＤＤ）を必要とする。ＦＤＤは、ノードＢ２０８とＵＥ２１０との間のＵＬおよびＤＬに対して異なるキャリア周波数を使用する。ＤＳ−ＣＤＭＡを利用し、時分割複信（ＴＤＤ）を使用する、ＵＭＴＳのための別のエアインターフェースは、ＴＤ−ＳＣＤＭＡエアインターフェースである。本明細書で説明する様々な例は、Ｗ−ＣＤＭＡエアインターフェースに言及することがあるが、基礎をなす原理は、ＴＤ−ＳＣＤＭＡエアインターフェースに等しく適用可能であり得ることは、当業者には認識されよう。
【００２８】
ＨＳＰＡエアインターフェースは、より高いスループットと低減されたレイテンシとを可能にする、３Ｇ／Ｗ−ＣＤＭＡエアインターフェースへの一連の強化を含む。以前のリリースの変更の中でも、ＨＳＰＡは、ハイブリッド自動再送要求（ＨＡＲＱ：hybrid automatic repeat request）と、共有チャネル送信と、適応変調コーディングとを利用する。ＨＳＰＡを定義する規格には、ＨＳＤＰＡ（高速ダウンリンクパケットアクセス）、および、ＨＳＵＰＡ（拡張アップリンクまたはＥＵＬとも呼ばれる、高速アップリンクパケットアクセス）が含まれる。
【００２９】
ＨＳＤＰＡは、そのトランスポートチャネルとして、高速ダウンリング共有チャネル（ＨＳ−ＤＳＣＨ）を利用する。ＨＳ−ＤＳＣＨは、３つの物理チャネルである、高速物理ダウンリンク共有チャネル（ＨＳ−ＰＤＳＣＨ）、高速共有制御チャネル（ＨＳ−ＳＣＣＨ）、および、高速専用物理制御チャネル（ＨＳ−ＤＰＣＣＨ）によって実装される。
【００３０】
これらの物理チャネルの中で、ＨＳ−ＤＰＣＣＨは、対応するパケット送信の復号に成功したかどうかを示すために、ＨＡＲＱ  ＡＣＫ／ＮＡＣＫシグナリングをアップリンク上で搬送する。すなわち、ダウンリンクに関して、ＵＥ２１０は、ダウンリンク上でパケットを正しく復号したかどうかを示すために、ＨＳ−ＤＰＣＣＨ上で、ノードＢ２０８にフィードバックを提供する。
【００３１】
ＨＳ−ＤＰＣＣＨは、変調およびコーディング方式、ならびに、プリコーディング重み選択に関して、正しい判断を行う際にノードＢ２０８を支援するために、ＵＥ２１０からのフィードバックシグナリングをさらに含み、このフィードバックシグナリングは、ＣＱＩとＰＣＩとを含む。
【００３２】
「ＨＳＰＡ  Ｅｖｏｌｖｅｄ」またはＨＳＰＡ＋は、ＭＩＭＯと６４−ＱＡＭとを含むＨＳＰＡ規格の発展形であり、スループット増大とより高い性能とを可能にする。すなわち、本開示の一態様では、ノードＢ２０８および／またはＵＥ２１０は、ＭＩＭＯ技術をサポートする複数のアンテナを有してもよい。ＭＩＭＯ技術の使用により、ノードＢ２０８は、空間多重化と、ビームフォーミングと、送信ダイバーシティとをサポートするために、空間領域を活用することが可能になる。
【００３３】
多入力多出力（ＭＩＭＯ）は、マルチアンテナ技術、すなわち、複数の送信アンテナ（チャネルへの複数の入力）と複数の受信アンテナ（チャネルからの複数の出力）とを指すために、一般に使用される用語である。ＭＩＭＯシステムは一般に、データ伝送品質を高め、ダイバーシティ利得によりマルチパスフェージングを低減して伝送品質を上げることと、空間多重化利得によりデータスループットを増すこととを可能にする。
【００３４】
空間多重化は、データの異なるストリームを同じ周波数上で同時に送信するために使用され得る。データストリームは、データレートを増加させるために単一のＵＥ２１０に送信されるか、または全体的なシステム容量を増加させるために複数のＵＥ２１０に送信され得る。これは、各データストリームを空間的にプリコードし、次いで、空間的にプリコードされた各ストリームを、ダウンリンク上で異なる送信アンテナを通して送信することによって達成される。空間的にプリコードされたデータストリームは、異なる空間シグナチャとともに（１つまたは複数の）ＵＥ２１０に到着し、これにより、（１つまたは複数の）ＵＥ２１０の各々がそのＵＥ２１０に宛てられた１つまたは複数のデータストリームを回復することが可能になる。アップリンク上で、各ＵＥ２１０は、１つまたは複数の空間的にプリコードされたデータストリームを送信することができ、これにより、ノードＢ２０８は、空間的にプリコードされた各データストリームのソースを識別することが可能になる。
【００３５】
空間多重化は、チャネル状態が良好であるときに使用され得る。チャネル状態があまり良好でないときは、送信エネルギーを１つまたは複数の方向に集中させるために、または、チャネルの特性に基づいて送信を改善するために、ビームフォーミングが使用され得る。これは、複数のアンテナを通して送信するためのデータストリームを空間的にプリコードすることによって達成され得る。セルのエッジにおいて良好なカバレージを達成するために、送信ダイバーシティとの組合せでシングルストリームビームフォーミング送信が使用され得る。
【００３６】
一般に、ｎ個の送信アンテナを利用するＭＩＭＯシステムでは、同じチャネライゼーションコードを利用して、同じキャリア上で同時にｎ個のトランスポートブロックが送信され得る。ｎ個の送信アンテナを介して送られた異なるトランスポートブロックは、同じまたは互いに異なる変調およびコーディング方式を有することがあることに留意されたい。
【００３７】
一方、単入力多出力（ＳＩＭＯ）は一般に、単一の送信アンテナ（チャネルへの単一の入力）と複数の受信アンテナ（チャネルからの複数の出力）とを利用するシステムを指す。したがって、ＳＩＭＯシステムでは、単一のトランスポートブロックが、それぞれのキャリア上で送られる。
【００３８】
図３を参照すると、ＵＴＲＡＮアーキテクチャにおけるアクセスネットワーク３００が示され、アクセスネットワーク３００は、本明細書で説明する干渉管理機能を実行するように構成され得る。多元接続ワイヤレス通信システムは、その各々が１つまたは複数のセクタを含み得る、セル３０２、３０４、および３０６を含む、複数のセルラー領域（セル）を含む。複数のセクタは、アンテナのグループによって形成でき、各アンテナは、セルの一部分におけるＵＥとの通信を担当する。たとえば、セル３０２において、アンテナグループ３１２、３１４、および３１６は各々異なるセクタに対応し得る。セル３０４において、アンテナグループ３１８、３２０、および３２２は各々異なるセクタに対応する。セル３０６において、アンテナグループ３２４、３２６、および３２８は各々異なるセクタに対応する。セル３０２、３０４および３０６は、各セル３０２、３０４または３０６の１つまたは複数のセクタと通信することができる、いくつかのワイヤレス通信デバイス、たとえば、ユーザ機器またはＵＥを含み得る。たとえば、ＵＥ３３０および３３２は、ノードＢ３４２と通信することができ、ＵＥ３３４および３３６は、ノードＢ３４４と通信することができ、ＵＥ３３８および３４０は、ノードＢ３４６と通信することができる。ここでは、各ノードＢ３４２、３４４、３４６は、それぞれのセル３０２、３０４および３０６内のすべてのＵＥ３３０、３３２、３３４、３３６、３３８、３４０のためのＣＮ２０４（図２参照）へのアクセスポイントを提供するように構成される。
【００３９】
ＵＥ３３４が、セル３０４内に図示されたロケーションからセル３０６内へ移動するとき、サービングセル変更（ＳＣＣ）またはハンドオーバが行われ得、サービングセル変更（ＳＣＣ）またはハンドオーバにおいて、ＵＥ３３４との通信は、ソースセルと呼ばれることがあるセル３０４から、ターゲットセルと呼ばれることがあるセル３０６へ移行する。ハンドオーバプロシージャの管理は、ＵＥ３３４で、それぞれのセルに対応するノードＢで、無線ネットワークコントローラ２０６（図２参照）で、または、ワイヤレスネットワーク内の別の好適なノードで行われ得る。たとえば、ソースセル３０４との通話中に、または、任意の他の時間に、ＵＥ３３４は、ソースセル３０４の様々なパラメータ、ならびに、セル３０６および３０２など、近隣セルの様々なパラメータをモニタしてもよい。さらに、これらのパラメータの品質に応じて、ＵＥ３３４は、近隣セルのうちの１つまたは複数との通信を維持してもよい。この時間中に、ＵＥ３３４は、アクティブセット、すなわち、ＵＥ３３４が同時に接続されるセルのリストを維持してもよい（すなわち、ダウンリンク専用物理チャネルＤＰＣＨまたはフラクショナルダウンリンク専用物理チャネルＦ−ＤＰＣＨをＵＥ３３４に現在割り当てているＵＴＲＡセルが、アクティブセットを構成してもよい）。
【００４０】
アクセスネットワーク３００によって採用される変調および多元接続方式は、展開されている特定の電気通信規格に応じて異なり得る。例として、この規格は、エボリューション−データオプティマイズド（ＥＶ−ＤＯ）またはウルトラモバイルブロードバンド（ＵＭＢ）を含み得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、ＣＤＭＡを利用して移動局にブロードバンドインターネットアクセスを提供する。この規格は、代替的に、広帯域ＣＤＭＡ（Ｗ−ＣＤＭＡ）、ならびにＴＤ−ＳＣＤＭＡ、ＴＤＭＡを採用するグローバルシステムフォーモバイルコミュニケーション（ＧＳＭ）、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびＯＦＤＭＡを採用するＦｌａｓｈ−ＯＦＤＭなど、ＣＤＭＡの他の変形態を採用する、ユニバーサルテレストリアルラジオアクセス（ＵＴＲＡ）であり得る。ＵＴＲＡ、Ｅ−ＵＴＲＡ、ＵＭＴＳ、ＬＴＥ、ＬＴＥ  ＡｄｖａｎｃｅｄおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００４１】
無線プロトコルアーキテクチャは、特定の適用例に応じて様々な形態をとり得る。次に、図４を参照しながら、ＨＳＰＡシステムのための一例を提示する。図４は、ユーザプレーンおよび制御プレーンのための無線プロトコルアーキテクチャの一例を示す概念図である。
【００４２】
図４を参照すると、ＵＥおよびノードＢのための無線プロトコルアーキテクチャは、レイヤ１と、レイヤ２と、レイヤ３という、３つのレイヤとともに示されている。この無線プロトコルアーキテクチャは、たとえば、ＵＥまたはノードＢにあるプロセッサ、メモリ、または通信モジュールにおけるアプリケーションおよび信号管理を通して、本明細書で説明する干渉管理機能を実行するように構成され得る。レイヤ１は、最も下であり、様々な物理レイヤ信号処理機能を実装する。レイヤ１を、本明細書では物理レイヤ４０６と呼ぶ。レイヤ２（Ｌ２レイヤ）４０８は、物理レイヤ４０６の上にあり、物理レイヤ４０６を介したＵＥとノードＢとの間のリンクを担当する。
【００４３】
ユーザプレーンでは、Ｌ２レイヤ４０８は、ネットワーク側のノードＢにおいて終端される、媒体アクセス制御（ＭＡＣ：media access control）サブレイヤ４１０と、無線リンク制御（ＲＬＣ：radio link control）サブレイヤ４１２と、パケットデータコンバージェンスプロトコル（ＰＤＣＰ：packet data convergence protocol）４１４サブレイヤとを含む。図示されていないが、ＵＥは、ネットワーク側のＰＤＮゲートウェイにおいて終端されるネットワークレイヤ（たとえば、ＩＰレイヤ）と、接続の他端（たとえば、ファーエンドＵＥ、サーバなど）において終端されるアプリケーションレイヤとを含むＬ２レイヤ４０８の上にいくつかの上位レイヤを有し得る。
【００４４】
ＰＤＣＰサブレイヤ４１４は、異なる無線ベアラと論理チャネルとの間で多重化を行う。ＰＤＣＰサブレイヤ４１４はまた、無線送信オーバーヘッドを低減するために上位レイヤデータパケットのヘッダ圧縮と、データパケットを暗号化することによるセキュリティと、ＵＥに対するノードＢ間のハンドオーバサポートとを与える。ＲＬＣサブレイヤ４１２は、上位レイヤデータパケットのセグメンテーションおよび再統合と、紛失データパケットの再送信と、ハイブリッド自動再送要求（ＨＡＲＱ）による、順が狂った受信を補正するデータパケットの並べ替えとを行う。ＭＡＣサブレイヤ４１０は、論理チャネルとトランスポートチャネルとの間の多重化を行う。ＭＡＣサブレイヤ４１０はまた、ＵＥの間で１つのセル内の様々な無線リソース（たとえば、リソースブロック）を割り振ることを担当する。ＭＡＣサブレイヤ４１０はまた、ＨＡＲＱ動作を担当する。
【００４５】
図５は、ＵＥ５５０と通信しているノードＢ５１０のブロック図であり、ノードＢ５１０は、図２のノードＢ２０８であってもよく、ＵＥ５５０は、図２のＵＥ２１０であってもよい。ダウンリンク通信では、送信プロセッサ５２０は、データソース５１２からデータを受信し、コントローラ／プロセッサ５４０から制御信号を受信し得る。送信プロセッサ５２０は、データおよび制御信号、ならびに、基準信号（たとえば、パイロット信号）のための様々な信号処理機能を提供する。たとえば、送信プロセッサ５２０は、誤り検出のための巡回冗長検査（ＣＲＣ）コードと、前方誤り訂正（ＦＥＣ）を可能にするためのコーディングおよびインターリービングと、様々な変調方式（たとえば、２位相シフトキーイング（ＢＰＳＫ）、４位相シフトキーイング（ＱＰＳＫ）、Ｍ位相シフトキーイング（Ｍ−ＰＳＫ）、Ｍ直交振幅変調（Ｍ−ＱＡＭ）など）に基づく信号コンスタレーションへのマッピングと、直交可変拡散率（ＯＶＳＦ）による拡散と、一連のシンボルを生成するためのスクランブリングコードによる乗算とを提供してもよい。チャネルプロセッサ５４４からのチャネル推定値は、コントローラ／プロセッサ５４０によって、送信プロセッサ５２０のためのコーディング、変調、拡散および／またはスクランブリング方式を決定するために使用され得る。これらのチャネル推定値は、ＵＥ５５０によって送信された基準信号から、または、ＵＥ５５０からのフィードバックから導出され得る。送信プロセッサ５２０によって生成されたシンボルは、フレーム構造を作成するために、送信フレームプロセッサ５３０に供給される。送信フレームプロセッサ５３０は、これらのシンボルをコントローラ／プロセッサ５４０からの情報により多重化して、一連のフレームを生じることによって、このフレーム構造を作成する。これらのフレームは次いで、送信機５３２に供給され、送信機５３２は、アンテナ５３４を通したワイヤレス媒体上のダウンリンク送信のために、フレームを増幅し、フィルタリングし、キャリア上に変調することを含む、様々な信号調整機能を提供する。アンテナ５３４は、たとえば、ビームステアリング双方向アダプティブアンテナアレイ、または、他の同様のビーム技術を含む、１つまたは複数のアンテナを含んでもよい。
【００４６】
ＵＥ５５０で、受信機５５４は、アンテナ５５２を通してダウンリンク送信を受信し、この送信を処理して、キャリア上に変調された情報を回復する。受信機５５４によって回復された情報は、受信フレームプロセッサ５６０に供給され、受信フレームプロセッサ５６０は、各フレームを解析し、フレームからの情報をチャネルプロセッサ５９４に、データと、制御および基準信号とを受信プロセッサ５７０に供給する。受信プロセッサ５７０は次いで、ノードＢ５１０において送信プロセッサ５２０によって実行される処理の逆を実行する。より具体的には、受信プロセッサ５７０は、シンボルをデスクランブルおよび逆拡散し、次いで、変調方式に基づいて、ノードＢ５１０によって送信された、可能性が最も高い信号コンスタレーション点を決定する。これらの軟判定は、チャネルプロセッサ５９４によって計算されるチャネル推定値に基づき得る。軟判定は次いで、復号およびデインターリーブされて、データと、制御および基準信号とが回復される。ＣＲＣコードが次いでチェックされて、フレームの復号に成功したかどうかが判定される。復号に成功したフレームによって搬送されたデータは次いで、データシンク５７２に供給されるようになり、データシンク５７２は、ＵＥ５５０内で実行中のアプリケーション、および／または、様々なユーザインターフェース（たとえば、ディスプレイ）を表す。復号に成功したフレームによって搬送された制御信号は、コントローラ／プロセッサ５９０に供給されるようになる。受信機プロセッサ５７０によってフレームの復号が失敗されるとき、コントローラ／プロセッサ５９０はまた、それらのフレームのための再送信要求をサポートするために、肯定応答（ＡＣＫ）および／または否定応答（ＮＡＣＫ）プロトコルをも使用してもよい。
【００４７】
アップリンクでは、データソース５７８からのデータと、コントローラ／プロセッサ５９０からの制御信号とが、送信プロセッサ５８０に供給される。データソース５７８は、ＵＥ５５０内で実行中のアプリケーションと、様々なユーザインターフェース（たとえば、キーボード）とを表し得る。ノードＢ５１０によるダウンリンク送信に関して説明した機能性と同様に、送信プロセッサ５８０は、ＣＲＣコードと、ＦＥＣを可能にするためのコーディングおよびインターリービングと、信号コンスタレーションへのマッピングと、ＯＶＳＦによる拡散と、一連のシンボルを生成するためのスクランブリングとを含む、様々な信号処理機能を提供する。ノードＢ５１０によって送信された基準信号から、または、ノードＢ５１０によって送信されたミッドアンブル中に含まれているフィードバックから、チャネルプロセッサ５９４によって導出されたチャネル推定値は、適切なコーディング、変調、拡散および／またはスクランブリング方式を選択するために使用され得る。送信プロセッサ５８０によって生成されたシンボルは、フレーム構造を作成するために、送信フレームプロセッサ５８２に供給されるようになる。送信フレームプロセッサ５８２は、これらのシンボルをコントローラ／プロセッサ５９０からの情報により多重化して、一連のフレームを生じることによって、このフレーム構造を作成する。これらのフレームは次いで、送信機５５６に供給され、送信機５５６は、アンテナ５５２を通したワイヤレス媒体上のアップリンク送信のために、フレームの増幅と、フィルタリングと、キャリア上への変調とを含む、様々な信号調整機能を提供する。
【００４８】
アップリンク送信は、ＵＥ５５０における受信機機能に関して説明した方法と同様の方法で、ノードＢ５１０において処理される。受信機５３５は、アンテナ５３４を通してアップリンク送信を受信し、この送信を処理して、キャリア上に変調された情報を回復する。受信機５３５によって回復された情報は、受信フレームプロセッサ５３６に供給され、受信フレームプロセッサ５３６は、各フレームを解析し、フレームからの情報をチャネルプロセッサ５４４に、データと、制御および基準信号とを受信プロセッサ５３８に供給する。受信プロセッサ５３８は、ＵＥ５５０において送信プロセッサ５８０によって実行される処理の逆を実行する。復号に成功したフレームによって搬送されたデータおよび制御信号は次いで、データシンク５３９およびコントローラ／プロセッサにそれぞれ供給され得る。受信プロセッサによってフレームの一部の復号が失敗された場合、コントローラ／プロセッサ５４０はまた、それらのフレームのための再送信要求をサポートするために、肯定応答（ＡＣＫ）および／または否定応答（ＮＡＣＫ）プロトコルをも使用してもよい。
【００４９】
コントローラ／プロセッサ５４０および５９０は、それぞれノードＢ５１０における動作とＵＥ５５０における動作とを指示するために使用され得る。たとえば、コントローラ／プロセッサ５４０および５９０は、タイミング、周辺インターフェース、電圧調整、電力管理、および他の制御機能を含む、様々な機能を提供してもよい。メモリ５４２および５９２のコンピュータ可読媒体は、それぞれノードＢ５１０およびＵＥ５５０のためのデータとソフトウェアとを記憶し得る。ノードＢ５１０におけるスケジューラ／プロセッサ５４６は、リソースをＵＥに割り振るため、かつ、ＵＥのためにダウンリンクおよび／またはアップリンク送信をスケジュールするために使用され得る。
【００５０】
図６は、インターネットなどのコアネットワークと、ユーザ機器（ＵＥ）６０４との間の通信を可能にすることができる、例示的なワイヤレス通信システム６００を示す。無線ネットワークコントローラ（ＲＮＣ）６０６は、ＵＭＴＳにおいてＩｕＢインターフェースの働きをすることができる、１つまたは複数の通信チャネル６１２を介して送信された信号を通して、１つまたは複数のノードＢ（たとえば、近隣セルノードＢ６０８およびサービングノードＢ６１０）を制御することができる。
【００５１】
本発明の一態様では、サービングセルノードＢ６１０は、通信リンク６１４上でＵＥ６０４にデータおよび制御信号を直接通信することによって、ＵＥ６０４に直接サービスすることができる。通信リンク６１４は、ＵＥ６０４において発信するサービングセルノードＢ６１０への通信を搬送することができるアップリンク（ＵＬ）チャネルと、サービングセルノードＢ６１０からＵＥ６０４への通信を搬送することができるダウンリンク（ＤＬ）チャネルとを含み得る。サービングセルノードＢ６１０は、ＵＥ６０４が現在、サービングセルノードＢ６１０によって管理されたサービングセルにキャンプオンされており、および／または、そのサービングセルに位置する場合、ＤＬ上でデータおよび／または制御シグナリングをＵＥ６０４へ供給し、ＵＥ６０４からＵＬデータまたはフィードバックを受信することができる。現在のサービングセルは、１つまたは複数の近隣セルを含み得、そのうちの１つは、近隣セルノードＢ６０８であり得る。さらに、近隣セルノードＢ６０８は、ＵＥ６０４のアクティブセット中にあり得るが、現在はＵＥ６０４に対するサービングセルノードＢではないことがある。それにもかかわらず、近隣セルノードＢ６０８は、通信リンク６１６を介してＵＥ６０４に制御情報を供給することができる。
【００５２】
さらに、ＣＥＬＬ＿ＤＣＨにおいて動作中のＵＥでは、これらのＵＥがソフトハンドオーバのために構成される能力により、専用物理チャネルＥ−ＲＧＣＨが、ＵＥ６０４のアクティブセット中のサービングセルノードＢ６１０と近隣セルノードＢ（たとえば、近隣セルノードＢ６０８）の両方からのＤＬ上に存在する。サービング拡張専用チャネル（Ｅ−ＤＣＨ：serving enhanced dedicated channel）無線リンクセット中のすべてのセルからの拡張専用チャネル相対許可チャネル（Ｅ−ＲＧＣＨ：enhanced dedicated channel relative grant channel）上のＤＬ上で送信されるものは、サービング相対許可６２２と呼ばれる信号である。このサービング相対許可信号６２２は、サービングセルノードＢ６１０のスケジューラがその制御下のＵＥのサービング許可を増分的に調節することを可能にし、その調節は、対応して、ＵＥ６０４からのＵＬ上のデータ送信のレートを調節する。加えて、所与の時間に特定のＵＥ６０４にサービスする１つのサービングセルノードＢ６１０があるので、所与の時間にＵＥ６０４によって受信される１つのサービング相対許可信号があるようになる。サービング相対許可信号６２２は、ＵＰ、ＤＯＷＮ、またはＨＯＬＤという、３つの異なる値を取ることがある。ＵＰ値は、最後に知られた送信レートからサービング許可を増すように、ＵＥ６０４に命令し、ダウン値は、最後に知られた送信レートからサービング許可を減らすように、ＵＥ６０４に命令し、ＨＯＬＤ値は、その最後に知られた送信レートを継続するように、ＵＥ６０４に命令する。
【００５３】
加えて、近隣セルノードＢ６０８からＥ−ＲＧＣＨチャネルのダウンリンク上で送信されるものは、非サービング相対許可信号６２４であり得る。この非サービング相対許可信号６２４は、近隣セルノードＢ６０８などの近隣セルノードＢが、近隣セルノードＢの制御下にないＵＥ６０４のＵＬ送信レートを調節して、近隣セルノードＢ６０８における過負荷状況を回避することを可能にする。ＵＥ６０４のサービングセルに対して複数の近隣セルがあり得るので、当然、所与の時間にＵＥ６０４によって受信される複数の非サービング相対許可信号６２４があり得る。加えて、Ｅ−ＲＧＣＨは、それらのアクティブセット中に特定の近隣セルを有するすべてのＵＥによってチャネルがモニタされるという点で、共有チャネルであり得る。さらに、非サービング相対許可信号６２４は、ＤＯＷＮおよびＨＯＬＤという、２つの異なる値を含み得る。サービング相対許可信号６２２のように、非サービング相対許可信号６２４のＤＯＷＮ値は、最後に知られた送信レートからサービング許可を減らすように、ＵＥ６０４に命令するが、ＨＯＬＤ値は、その最後に知られた送信レートを継続するように、ＵＥ６０４に命令する。
【００５４】
逆に、ＣＥＬＬ＿ＦＡＣＨ状態において動作中のＵＥは、従来は、Ｅ−ＲＧＣＨのリスニングが不可能であり、したがって、非サービング相対許可メッセージを受信しないことがある。しかしながら、本明細書で説明する装置および方法の一態様では、ＣＥＬＬ＿ＦＡＣＨモードのＵＥ６０４が、ＣＥＬＬ＿ＤＣＨモードであればソフトハンドオーバ中になるであろうエリアに入る場合、ＵＥ６０４は、１つまたは複数の近隣セルノードＢ６０８からの非サービング相対許可信号を求めて、共有Ｅ−ＲＧＣＨチャネルのリスニングを開始することができる。さらに、近隣セルノードＢ６０８は、他のセル内のＵＥ（たとえば、ＵＥ６０４）から発信するＵＬ送信からの干渉を測定することができる、干渉管理コンポーネント６１８を含み得る。このセル間干渉が、たとえば、ＲＮＣ６０６または別のネットワークコンポーネントによって事前構成または通信され得るしきい値に達する場合、干渉管理コンポーネント６１８は、共有Ｅ−ＲＧＣＨチャネル上で近隣セル内のＵＥへ、ＤＯＷＮ値を有し得る非サービング相対許可信号６２４を送信することができる。結果として、共有Ｅ−ＲＧＣＨチャネルをリッスンしているすべてのＵＥは、非サービング相対許可信号６２４を受信および処理することができ、それに応じて、それらの個々の送信レートおよび／または電力を調節することができる。一態様では、ワイヤレス通信システム６００内のＵＥ６０４および／または他のＵＥは、トラフィック調節コンポーネント６２０を含んでもよく、トラフィック調節コンポーネント６２０は、たとえば、非サービング相対許可信号６２４および／またはサービング相対許可信号６２２を受信したことに応答して、アップリンク上のＵＥの送信レートおよび／または電力を調節することができる。したがって、ＣＥＬＬ＿ＦＡＣＨモードなどの非ＣＥＬＬ＿ＤＣＨモードで動作中のＵＥなど、１つまたは複数のＵＥがソフトハンドオフを実行することができないとき、ノード間干渉および近隣セルノードＢの過負荷が低減または回避され得る。
【００５５】
たとえば、近隣セルノードＢ６０８、干渉管理コンポーネント６１８、および／またはサービングセルノードＢ６１０は、本明細書で説明する干渉管理機能を実行するように構成され、実施され得、または、たとえば、処理システム１１４、プロセッサ１０４、および／もしくはコンピュータ可読媒体１０６を含み得る。さらに、一態様では、サービングセルノードＢ６１０および／または近隣セルノードＢ６０８は、図５のノードＢ５１０、図３のノードＢ３４６、３４２および／もしくは３４４、ならびに／または、図２のノードＢ２０８であってもよく、ＵＥ６０４は、図５のＵＥ５５０、図３のＵＥ３３０、３３２、３３４、３３６、３３８、３４０、および／または、図２のＵＥ２１０であってもよく、それらのいずれもが、本明細書で説明する干渉管理機能を実行するように構成され得る。
【００５６】
図７は、近隣セルノードＢ（たとえば、近隣セルノードＢ６０８、図６）であり得るノードＢにおいて、セル間干渉を管理するための例示的な方法７００を示す。ブロック７０２で、ノードＢは、ノードＢによってサービスされるセルに対する１つまたは複数の近隣セル（たとえば、３０２、３０４、３０６、図３）を示すことができる、近隣セル識別セットを受信することができる。一態様では、近隣セル識別セットは、無線ネットワークコントローラ（たとえば、無線ネットワークコントローラ６０６、図６）からの信号において受信され得る。追加の態様では、近隣セル識別セットは、近隣セルのうちの１つまたは複数のプライマリスクランブリングコード（ＰＳＣ）を含み得る。代替または追加として、一意の近隣リストが、無線ネットワークコントローラまたは任意の他のネットワークコンポーネントから、システム情報メッセージのシステム情報ブロック（ＳＩＢ）部分を通してシグナリングされ得る。具体的には、一意の近隣リストは、ＳＩＢ１１の部分であり得、ＳＩＢ１１の部分は、測定制御情報と近隣セル識別セットとを含み得、ノードＢが、その近隣セルと、ネットワークと通信する方法とに気づいていることを可能にすることができる。
【００５７】
さらに、一態様では、他のセル内のＵＥとの通信を可能にするために、どのセルが共通のＥ−ＲＧＣＨチャネルを介した通信をサポートするかを示すために、フラグが、ＳＩＢ１１メッセージ内の近隣セル識別セットにおけるセル識別子（セルＩＤ）に付加され得る。さらなる態様では、フラグは、オーバーヘッドを最小にするために、セルＩＤごとの１ビットフラグであってもよい。代替または追加として、この情報はまた、既存の専用シグナリングメッセージの一部として搬送されてもよい。この既存の専用シグナリングメッセージは、無線ベアラセットアップにおいて受信され得る。一態様では、ノードＢ、またはノードＢと通信しているＵＥが、セルＩＤリストまたは近隣セル識別セット内のセルに関連するＰＳＣおよび他の情報を推論することを可能にするために、この専用シグナリングメッセージの一部として搬送されたセルＩＤリストが、ＳＩＢ１１メッセージからのセルＩＤと相互参照されてもよい。
【００５８】
加えて、ブロック７０４で、ノードＢは、ノードＢの近隣セルのうちの少なくとも１つによって共有された非サービング相対許可チャネルに対応する、相対許可チャネルリソースインデックスを受信することができる。一態様では、非サービング相対許可チャネルリソースインデックスは、無線ネットワークコントローラ（たとえば、無線ネットワークコントローラ６０６、図６）からの信号において受信され得る。相対許可チャネルリソースインデックスは、ノードＢに、相対許可チャネルに関連付けられた接続、セットアップ、または他のパラメータを通知することができる。さらに、ノードＢがサービングセルノードＢ（たとえば、サービングセルノードＢ６１０、図６）である場合、相対許可チャネルリソースインデックスは、１つまたは複数のサービング相対許可メッセージをサービングセルノードＢのセル内のＵＥへ送信することができる、サービング相対許可チャネルに対応し得る。代替として、ノードＢが、サービングセル内のＵＥ（たとえば、ＵＥ６０４、図６）の視点からの近隣セルノードＢである場合、相対許可チャネルリソースインデックスは、他の近隣セルノードＢと共有された相対許可チャネル上でＵＥへ１つまたは複数の非サービング相対許可メッセージを送信することができる、非サービング相対許可チャネルに対応し得る。一態様では、この共有チャネルは、拡張専用チャネル相対許可チャネル（Ｅ−ＲＧＣＨ）であり得る。加えて、相対許可チャネルリソースインデックスに基づいて、ノードＢは、相対許可チャネルを介して通信を確立することができる。
【００５９】
さらなる態様では、共有された相対許可チャネルは、非限定的な例として、ＳＩＢにおいてハードコーディングまたはブロードキャストされ得る、拡散コードを有してもよく、拡散率は１２８であり得るが、他の拡散率もまた可能である。さらに、共有された相対許可チャネルは、プライマリ共通制御物理チャネルがＵＥおよび／またはノードＢによってブロードキャスト、受信および／または処理された後、約５１２０チップで通信を開始してもよいが、他のチップ長もまた利用可能である。追加の非限定的な態様では、共有された相対許可チャネルのための送信時間間隔（ＴＴＩ）は、約１０ｍｓであり得るが、他のＴＴＩ周期もまた利用され得る。
【００６０】
加えて、ブロック７０６で、ノードＢは、１つまたは複数の近隣セル内のユーザ機器に関連付けられたセル間干渉を検出することができる。一態様では、ノードＢは、近隣セル内のＵＥが別のノードＢとのアップリンク上でデータを送信する結果であり得る干渉レベルを測定し、その干渉レベルをセル間干渉しきい値と比較することができる。このセル間干渉しきい値は、ネットワークコントローラ（たとえば、ＲＮＣ６０６、図６）によって事前構成または定義され得る。
【００６１】
一態様では、ブロック７０８で、セル間干渉レベルがセル間干渉しきい値を超える場合、ノードＢは、１つまたは複数の非サービング相対許可信号を、共有Ｅ−ＲＧＣＨであり得る、共有された非サービング相対許可チャネル上で、近隣セル内の１つまたは複数のＵＥへ送信することができる。加えて、セル間干渉しきい値を超えた場合、これらの非サービング相対許可信号は、ＤＯＷＮ値を有し得る。結果として、近隣セルＵＥは、１つまたは複数のＤＯＷＮ非サービング相対許可信号、たとえば、非サービング相対許可信号６２４（図６）を受信し、１つまたは複数の非サービング相対許可信号６２４に基づいて、それらの個々のアップリンクデータレートまたは送信電力を低下させることができる。したがって、ＣＥＬＬ＿ＦＡＣＨモードであり、近隣セルノードＢによってサービスされていないＵＥが、ＣＥＬＬ＿ＤＣＨモードであれば近隣セルノードＢとのソフトハンドオーバ中になるであろうエリアに入るときのためなど、近隣セルノードＢは、共有された非サービング相対許可チャネル上で非サービング相対許可メッセージを送ることによって、近隣セルにおいて経験された干渉レベルを制御することができる。
【００６２】
図８は、ＵＥ（たとえば、ＵＥ６０４図６）におけるセル間干渉を管理するための例示的な方法８００を示す。ＵＥがソフトハンドオーバ領域内である、本開示の一態様では、ＵＥが近隣セルまたは近隣セルノードＢに極めて接近している可能性があり得、したがって、ＵＥアップリンク上でセル間干渉を引き起こす可能性が高められ得る。これらのソフトハンドオーバ領域内であるとき、非サービング相対許可チャネルをモニタすることによって、ＵＥは、非サービング相対許可信号６２４（図６）に反応して、それに応じてそのＵＬ特性を調節することができる。
【００６３】
一態様では、ＵＥは、サービングセル内に常駐し、サービングセルノードＢ（たとえば、サービングセルノードＢ６１０、図６）と直接通信することができる。加えて、ＵＥは、近隣セルまたは近隣セルと呼ばれることもある、近くのセルの特性をモニタすることができる。たとえば、ＵＥは、１つまたは複数の近隣セルノードＢ（たとえば、近隣セルノードＢ６０８、図６）によって送信されたパイロット信号をモニタし、この、または他の近隣セルノードＢ送信に関連付けられた信号強度を決定することができる。本開示の一態様では、ＵＥは、ワイヤレス通信システムに関連付けられたワイヤレスカバレージエリアを通って移動することができ、ＵＥまたはネットワークが近隣セルへのハンドオフ、たとえば、ソフトハンドオフが可能であると決定することができるエリアに、入ることができる。この決定は、ＵＥが近隣セルに関連付けられた信号強度を測定することに基づいてもよい。
【００６４】
さらに、上記で略述したように、ＵＥは、いくつかの状態で動作することができ、そのうちの２つは、ＵＥが新しいセルへハンドオーバされ得るＣＥＬＬ＿ＤＣＨ状態と、ＵＥがハンドオーバされ得ないＣＥＬＬ＿ＦＡＣＨ状態とである。限定はしないが、ＵＭＴＳにおけるＣＥＬＬ＿ＦＡＣＨ状態を含み得る、ソフトハンドオーバプロシージャに適合しない状態で動作するとき、ブロック８０２で、ＵＥは、それにもかかわらず、信号強度などのパイロット信号状態、または、１つもしくは複数の近隣セルをモニタすることができる。加えて、どの近隣セルをモニタするべきかを決定する目的で、ＵＥは、たとえば、ＣＥＬＬ＿ＤＣＨにおいて動作するＵＥに対して、イベント１ａ基準を再使用することができる。一態様では、イベント１ａは、近隣セルの電力レベルが、ネットワークによって構成され得るしきい値レベルに達しているとき、起こり得る。
【００６５】
これらの測定から、ＵＥは、ブロック８０４で、ＵＥがソフトハンドオーバ領域内であるかどうかを判定することができ、ソフトハンドオーバ領域は、非限定的な例では、ＵＥがソフトハンドオーバを経験することが可能な状態で動作中であった場合に、ソフトハンドオーバが利用可能になるであろうエリアとして定義され得る。追加の態様では、ＵＥは、そのサービングセルとモニタされた非サービングセルとの間のパスロス差を測定することができる。この差が、ネットワークまたはＲＮＣによって構成され得るソフトハンドオーバしきい値未満である場合、ＵＥは、ソフトハンドオーバ領域内であると判定することができる。
【００６６】
さらに、近隣セルチャネルのパイロット信号のモニタは、ＵＥがＣＥＬＬ＿ＦＡＣＨモードで動作中であるとき、一時的および不連続であり得る。たとえば、一態様では、モニタは、ＣＥＬＬ＿ＦＡＣＨセッションにつき１回のみ起こり得、その理由は、しばしば、ＣＥＬＬ＿ＦＡＣＨセッションが短いバースト的な送信間隔によって特徴づけられるからである。一態様では、ＣＥＬＬ＿ＦＡＣＨセッションは、ＵＥに共有専用チャネルリソース、たとえば、共有された非サービング相対許可チャネルに関連付けられたリソースが割り振られるときから、ＵＥがこのリソースを解放する時間までの期間として、定義され得る。ＣＥＬＬ＿ＦＡＣＨ状態で動作するＵＥに関連付けられた、この比較的短いパイロットモニタ期間の結果として、ＵＥは、近隣セルによって送信されたパイロット信号が真に強いか、弱いかを、正しく検出しないことがある。たとえば、短いモニタ継続時間の期間のために、ＵＥは、ＵＥによるモニタの瞬間にディープフェードであった、典型的には強いパイロット信号に実際は対応する、弱いパイロット信号をモニタすることがあり、それによって、パイロット信号強度は、ソフトハンドオーバしきい値に達しないようになり、共有された非サービング相対許可チャネルのモニタを開始しないようになる。したがって、ＵＥ  ＵＬが、モニタの瞬間にディープフェードであった近隣セルにおいて干渉を引き起こしていた場合に、近隣セルでは、ＤＯＷＮ値の非サービング相対許可をＵＥへ送るための能力が欠如するようになる。短いパイロットモニタ期間の代替の結果として、ＵＥは、短いパイロット電力バーストのために、ソフトハンドオーバ領域トリガリング近隣セルとして特徴づけられるべきではない近隣セルからの、異常に強いパイロットを測定することがある。この場合、ＵＥは、この弱い近隣セルを、ソフトハンドオーバ領域内のＵＥを宣言するための候補として宣言することができるが、ただし、そのような宣言は真に保証されていない。この状況におけるＵＥは、たとえば、干渉の可能性が極めて最小であるとき、この近隣セルに関連付けられた共有された非サービング相対許可チャネルをリッスンすることによって、電力リソースを無駄にすることがある。
【００６７】
近隣セルのパイロット信号をより正しくモニタして、そのような状況を回避するために、ブロック８０４で、ＵＥを、最小の近隣セルモニタ期間で構成して、より正確なパイロット信号読取りを可能にすることができる。一態様では、この最小の近隣セルモニタ期間は、ランダムアクセスチャネル（ＲＡＣＨ）プロシージャ持続性チェックの始めに開始するように定義され得、Ｅ−ＤＣＨ個別物理データチャネル（Ｅ−ＤＰＤＣＨ）の確立時に終わり得る。言い換えれば、非限定的な態様では、ＵＥが、共有された非サービング相対許可チャネルをリッスンするか、それ自体がソフトハンドオーバ領域内であることを宣言するかを判断することができる最も早い時間は、そのアップリンクＥ−ＤＰＤＣＨの開始時である。代替または追加の態様では、ＵＥまたはネットワークは、ＵＥが所与の近隣セルパイロット信号をモニタするための最小のリスニングまたはモニタ継続時間を制御および追跡することができる、タイマを含み得る。
【００６８】
さらなる態様では、ＵＥが、ブロック８０４で、ＵＥがソフトハンドオーバ領域内ではないと判定する場合、ＵＥは、１つまたは複数の近隣セルに関係する１つまたは複数の状態をモニタし続けることができる。逆に、ＵＥが、ブロック８０４で、ＵＥがソフトハンドオーバ領域内であると判定する場合、ＵＥは、ブロック８０６で、相対許可チャネルのモニタを開始することができる。本開示の一態様では、相対許可チャネルは、限定はしないが、Ｅ−ＲＧＣＨなど、共有された非サービング相対許可チャネルであり得る。
【００６９】
加えて、ＵＥが、共有された非サービング相対許可チャネルのモニタを開始すると、ＵＥは、ブロック８０８で、ＵＥがなおソフトハンドオーバ領域内であるかどうかを判定するために、１つまたは複数の近隣セルをモニタし続けることができる。ＵＥがもはやソフトハンドオーバ領域内ではない場合、ＵＥは、ブロック８１０で、共有された非サービング相対許可チャネルのモニタを停止し、１つまたは複数が所与の時間に検出可能である場合、ブロック８０２に記載のように、単に１つまたは複数の近隣セルをモニタすることに戻ることができる。ただし、ブロック８０８で、ＵＥがソフトハンドオーバ領域内に残っている場合、ＵＥは、共有された非サービング相対許可チャネルをモニタし続けることができる。
【００７０】
さらに、ブロック８１２で、ＵＥは、ＵＥがその伝送特性を調節するべきであることを示す値とともに、チャネル上で非サービング相対許可メッセージを受信しているかどうかを判定することができる。たとえば、そのような値は、非サービング相対許可のＤＯＷＮ値であり得る。一態様では、ＵＥがそのようなメッセージを受信していないか、または、受信された非サービング相対許可上でＨＯＬＤ値を受信している場合、ＵＥは、たとえば、ブロック８０６で、単に共有された非サービング相対許可チャネルをモニタし続けることができる。代替として、ブロック８１２で、ＵＥが、ＵＥがその伝送特性を調節するべきであることを示す値とともに、チャネル上で非サービング相対許可メッセージを受信している場合、ＵＥは、たとえば、ブロック８１４で、アップリンクチャネル上の１つまたは複数の伝送特性を調節することができる。一態様では、これらの１つまたは複数の特性には、限定はしないが、送信レートまたは送信電力が含まれ得る。結果として、これらのソフトハンドオーバ領域内であるとき、非サービング相対許可チャネルをモニタすることによって、ＵＥは、非サービング相対許可信号６２４（図６）など、非サービング相対許可メッセージに反応することができ、時間ごとに、非サービングセルノードＢまたは他のネットワークリソースもしくはデバイスのコマンドにおいて、そのＵＬ特性を調節することができる。
【００７１】
図９を参照すると、近隣セルノードＢ６０８（図６）は、本明細書で説明するように、セル間干渉を管理するように構成されたいくつかのコンポーネントを含み得る。加えて、サービングセルノードＢは、あるＵＥに対するサービングセルが、ＵＥ６０４（図６）から空間的に分離された追加のＵＥ（図示せず）に対する近隣セルであり得るように、図９で表現されたコンポーネントをそれ自体で含み得る。図９に示すように、近隣セルノードＢ６０８は、本明細書で説明するコンポーネントおよび機能のうちの１つまたは複数に関連する処理機能を実行するためのプロセッサ９０２を含む。プロセッサ９０２は、プロセッサまたはマルチコアプロセッサの単一または複数のセットを含み得る。その上、プロセッサ９０２は、統合処理システムおよび／または分散処理システムとして実装され得る。
【００７２】
近隣セルノードＢ６０８は、本明細書で使用されるデータを記憶する、および／または、プロセッサ９０２によって実行されているアプリケーションのローカルバージョンを記憶するなどのために、メモリ９０４をさらに含む。メモリ９０４は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せのような、コンピュータが使用できる任意のタイプのメモリを含み得る。
【００７３】
さらに、近隣セルノードＢ６０８は、本明細書で説明するように、ハードウェアと、ソフトウェアと、サービスとを利用して、１つまたは複数の相手との通信を確立し、維持することを行う通信コンポーネント９０６を含む。通信コンポーネント９０６は、近隣セルノードＢ６０８上のコンポーネント間、ならびに近隣セルノードＢ６０８と、通信ネットワーク上に位置するデバイスおよび／または近隣セルノードＢ６０８に直列もしくはローカルに接続されたデバイスなどの外部デバイスとの間の通信を伝え得る。たとえば、通信コンポーネント９０６は、１つまたは複数のバスを含み得、それぞれ送信機および受信機に関連する、外部デバイスとインターフェースするように動作可能な送信チェーンコンポーネントと受信チェーンコンポーネントとをさらに含み得る。
【００７４】
加えて、近隣セルノードＢ６０８は、データストア９０８をさらに含み得、データストア９０８は、本明細書で説明する態様に関連して採用される情報、データベース、およびプログラムの大容量記憶を与えるハードウェアおよび／またはソフトウェアの任意の適切な組合せとすることができる。たとえば、データストア９０８は、プロセッサ９０２によって現在実行されていないアプリケーションのためのデータリポジトリであり得る。
【００７５】
さらに、近隣セルノードＢ６０８は、近隣セル識別コンポーネント９１０を含み得、近隣セル識別コンポーネント９１０は、近隣セル識別セットを受信するように構成され得、近隣セル識別セットは、１つまたは複数の近隣セルをノードＢに示すことができ、そのノードＢは、ワイヤレス通信システム内で近隣セルノードＢ６０４または任意の他のノードＢによってサービスされるセルであり得る。一態様では、近隣セル識別コンポーネント９１０は、通信コンポーネント９０６内に位置してもよく、または、通信コンポーネント９０６に通信可能に接続されてもよい。加えて、近隣セル識別コンポーネント９１０は、１つまたは複数の近隣セルの各々が、共有された非サービング相対許可チャネルを介して通信するように構成されるかどうかを示すことができる、１つまたは複数の近隣セルの各々に関連付けられた適合性インジケータを受信するように構成され得る。
【００７６】
さらに、近隣セルノードＢ６０８は、リソースインデックスコンポーネント９１２を含み得、リソースインデックスコンポーネント９１２は、非サービング相対許可チャネルに対応する、相対許可チャネルリソースインデックスを受信するように構成され得る。一態様では、リソースインデックスコンポーネント９１２は、通信コンポーネント９０６内に位置してもよく、または、通信コンポーネント９０６に通信可能に接続されてもよい。加えて、近隣セルノードＢ６０８が、ＵＥの伝送特性を調節することができるＵＥへ信号を送信することを可能にするように、リソースインデックスコンポーネント９１２は、受信された相対許可チャネルリソースインデックスに従って、近隣セルノードＢ６０８のために、共有された非サービング相対許可チャネルへの接続またはチャネルをセットアップ確立することができる。
【００７７】
加えて、近隣セルノードＢ６０８は、干渉管理コンポーネント６１８を含み得、干渉管理コンポーネント６１８は、セル過負荷状態または損なわれた信号送信もしくは受信を回避するために、近隣セルノードＢにおけるセル間干渉を管理するように構成され得る。さらに、干渉管理コンポーネント６１８は、セル間干渉検出コンポーネント９１４を含み得、セル間干渉検出コンポーネント９１４は、１つまたは複数の近隣セル内のＵＥに関連付けられたセル間干渉を検出するように構成され得る。セル間干渉検出コンポーネント９１４は、たとえば、１つのアンテナ、複数のアンテナ、受信機、トランシーバ、または、信号送信を検出するように構成された任意のコンポーネントを含み得る。
【００７８】
さらなる態様では、干渉管理コンポーネント６１８は、干渉しきい値決定コンポーネント９１６を含み得、干渉しきい値決定コンポーネント９１６は、干渉検出コンポーネント９１４からの測定または検出されたセル間干渉を、記憶されたセル間干渉しきい値９１８と比較するように構成され得る。測定されたセル間干渉レベルがセル間干渉しきい値９１８に達する場合、干渉管理コンポーネント６１８は、共有された非サービング相対許可チャネル上で１つまたは複数のＵＥへ非サービング相対許可メッセージを送信するように、通信コンポーネント９０６または相対許可メッセージ送信コンポーネント９２０など、別のコンポーネントにシグナリングすることができる。一態様では、相対許可メッセージ送信コンポーネント９２０もまた通信コンポーネント９０６に含まれてもよく、送信機、トランシーバ、または、専用チャネル上でワイヤレス信号を送信することが可能な任意の他のコンポーネントを含み得る。
【００７９】
図１０を参照すると、ＵＥ（たとえば、ＵＥ６０４、図６）は、本明細書で説明するＵＥのアップリンク伝送特性を調節するように構成された、いくつかのコンポーネントを含み得る。図１０に示すように、ＵＥ６０４は、本明細書で説明するコンポーネントおよび機能のうちの１つまたは複数に関連する処理機能を実行するためのプロセッサ１００２を含む。プロセッサ１００２は、プロセッサまたはマルチコアプロセッサの単一または複数のセットを含み得る。その上、プロセッサ１００２は、統合処理システムおよび／または分散処理システムとして実装され得る。
【００８０】
ＵＥ６０４は、本明細書で使用されるデータを記憶する、および／または、プロセッサ１００２によって実行されているアプリケーションのローカルバージョンを記憶するなどのために、メモリ１００４をさらに含む。メモリ１００４は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せのような、コンピュータが使用できる任意のタイプのメモリを含み得る。
【００８１】
さらに、ＵＥ６０４は、本明細書で説明するように、ハードウェアと、ソフトウェアと、サービスとを利用して、１つまたは複数の相手との通信を確立し、維持することを行う通信コンポーネント１００６を含む。通信コンポーネント１００６は、ＵＥ６０４上のコンポーネント間、ならびにＵＥ６０４と、通信ネットワーク上に位置するデバイスおよび／またはＵＥ６０４に直列またはローカルに接続されたデバイスなどの外部デバイスとの間の通信を伝え得る。たとえば、通信コンポーネント１００６は、１つまたは複数のバスを含み得、それぞれ送信機および受信機に関連する、外部デバイスとインターフェースするように動作可能な送信チェーンコンポーネントと受信チェーンコンポーネントとをさらに含み得る。
【００８２】
加えて、ＵＥ６０４は、データストア１００８をさらに含み得、データストア１００８は、本明細書で説明する態様に関連して採用される情報、データベース、およびプログラムの大容量記憶を与えるハードウェアおよび／またはソフトウェアの任意の適切な組合せとすることができる。たとえば、データストア１００８は、プロセッサ１００２によって現在実行されていないアプリケーションのためのデータリポジトリであり得る。
【００８３】
ＵＥ６０４は、さらに、ＵＥ６０４のユーザから入力を受信するように動作可能であり、ユーザへの提示のための出力を生成するようにさらに動作可能な、ユーザインターフェースコンポーネント１０１０を含み得る。ユーザインターフェースコンポーネント１０１０は、限定はしないが、キーボード、テンキー、マウス、タッチセンシティブディスプレイ、ナビゲーションキー、ファンクションキー、マイクロフォン、音声認識コンポーネント、ユーザから入力を受信することが可能な任意の他の機構、またはそれらの任意の組合せを含む、１つまたは複数の入力デバイスを含み得る。さらに、ユーザインターフェースコンポーネント１０１０は、限定はしないが、ディスプレイ、スピーカー、触覚フィードバック機構、プリンタ、出力をユーザに提示することが可能な任意の他の機構、またはそれらの任意の組合せを含む、１つまたは複数の出力デバイスを含み得る。
【００８４】
さらに、ＵＥ６０４は、状態決定コンポーネント１０１２を含み得、状態決定コンポーネント１０１２は、ＵＥ６０４に関連付けられたＵＥ状態１０１４を受信および記憶するように構成され得る。一態様では、状態決定コンポーネント１０１２は、サービングまたは非サービングセルノードＢなど、ネットワークからＵＥ状態指示メッセージを受信することができ、そのＵＥ状態指示メッセージを、状態決定コンポーネントがその現在のＵＥ状態１０１４として記憶することができる。一態様では、ＵＥ状態１０１４は、ＣＥＬＬ＿ＤＣＨ、ＣＥＬＬ＿ＦＡＣＨ、ＵＲＡ＿ＰＣＨ、ＣＥＬＬ＿ＰＣＨ、または、ＵＭＴＳもしくは任意の他のワイヤレス技術におけるワイヤレス通信のために定義された任意の他のＵＥ状態のうちの１つであり得る。
【００８５】
さらなる態様では、ＵＥ６０４は、ソフトハンドオーバ領域決定コンポーネント１０１６を含み得、ソフトハンドオーバ領域決定コンポーネント１０１６は、ＵＥ６０４が現在、ソフトハンドオーバをサポートした状態でＵＥ６０４が動作中になるのであればソフトハンドオーバが実現可能になるであろう領域内であるかどうかを判定するように、構成され得る。ソフトハンドオーバ領域決定コンポーネント１０１６は、１つまたは複数の近隣セルに関連付けられた１つまたは複数のノードＢによって送信された１つまたは複数のパイロット信号をモニタすることができ、これらの１つまたは複数のパイロット信号に関連付けられた信号強度を決定することができる。さらに、ソフトハンドオーバ領域決定コンポーネント１０１６は、これらの１つまたは複数のパイロット信号強度を、記憶されたソフトハンドオーバしきい値１０１８と比較することができ、測定されたパイロット信号強度が、記憶されたソフトハンドオーバしきい値１０１８の値を満たすか、または上回る場合、ＵＥ６０４がソフトハンドオーバ領域内であると判定することができる。一態様では、記憶されたソフトハンドオーバしきい値１０１８は、製造業者または設計者によって事前構成され得、または、ソフトハンドオーバしきい値設定送信において、ネットワークによって構成され得る。
【００８６】
さらに、ソフトハンドオーバ領域決定コンポーネント１０１６は、測定継続時間管理コンポーネント１０２０を含み得、測定継続時間管理コンポーネント１０２０は、１つまたは複数の近隣セルパイロット信号の測定の継続時間または期間の長さを制御するように構成され得る。一態様では、測定継続時間管理コンポーネント１０２０は、タイマ１０２２を含み得、タイマ１０２２は、測定継続時間を追跡し、パイロット信号強度および／または近隣セル近接の正確な表現を得るために、どのくらい長くＵＥ６０４がパイロット信号を測定するかについて制御することができる。
【００８７】
追加の態様では、ＵＥ６０４は、相対許可チャネルモニタコンポーネント１０２４を含み得、相対許可チャネルモニタコンポーネント１０２４は、１つまたは複数の専用相対許可チャネルをモニタするように構成され得る。これらの１つまたは複数の専用相対許可チャネルには、共有された非サービング相対許可チャネル、Ｅ−ＲＧＣＨ、サービング相対許可チャネル、または、任意の他の専用許可チャネルが含まれ得る。さらに、相対許可チャネルモニタコンポーネント１０２４は、ＵＥ６０４の外部または内部のコンポーネント、たとえば、ソフトハンドオーバ領域決定コンポーネント１０１２から、指示信号を受信することができ、それらの信号は、１つまたは複数の専用相対許可チャネルのモニタを開始するように、相対許可チャネルモニタコンポーネント１０２４に指示することができる。追加の態様では、許可チャネルモニタコンポーネント１０２４は、そのアップリンク伝送特性を調節するようにＵＥに命令することができる、非サービング相対許可メッセージまたは信号を受信することができる。
【００８８】
加えて、ＵＥ６０４は、トラフィック調節コンポーネント１０２６を含み得、トラフィック調節コンポーネント１０２６は、たとえば、相対許可チャネルモニタコンポーネント１０２４で受信された非サービング相対許可信号に応答して、ＵＥアップリンク伝送特性を調節するように構成され得る。一態様では、トラフィック調節コンポーネント１０２６は、送信レートなどのデータレート、または、ＵＥアップリンク上の関連する送信電力を調節することができるが、他の伝送特性もまた調節され得る。
【００８９】
図１１を参照すると、例示的なシステム１１００が、１つまたは複数の通信チャネルを選択的にリセットおよび／または転送するために表示される。たとえば、システム１１００は、少なくとも部分的に、デバイス内に常駐し得る。システム１１００は機能ブロックを含むものとして表されており、その機能ブロックは、プロセッサ、ソフトウェア、またはそれらの組合せ（たとえば、ファームウェア）によって実装される機能を表す機能ブロックであってよいことを諒解されたい。システム１１００は、連携して動作することができる電気的コンポーネントの論理グルーピング１１０２を含む。たとえば、論理グルーピング１１０２は、１つまたは複数の近隣セルを示すことができる近隣セル識別セットを受信するための、電気的コンポーネント１１０４を含み得る。一態様では、電気的コンポーネント１１０４は、無線ネットワークコントローラまたは別のネットワークコンポーネントから、近隣セル識別セットを受信することができる。さらなる態様では、電気的コンポーネント１１０４は、近隣セル識別コンポーネント９１０（図９）であってもよい。
【００９０】
その上、論理グルーピング１１０２は、相対許可チャネルリソースインデックスまたは他の相対許可チャネル構成情報を受信するための、電気的コンポーネント１１０６を含み得る。一態様では、この相対許可チャネルリソースインデックスまたは他の相対許可チャネル構成情報は、無線ネットワークコントローラから送信され得る。さらに、電気的コンポーネント１１０６は、受信された相対許可チャネルリソースインデックスに基づいて、共有された非サービング相対許可チャネルなど、相対許可チャネルとの接続をセットアップするように構成され得る。加えて、電気的コンポーネント１１０６は、リソースインデックスコンポーネント９１２（図９）であってもよい。
【００９１】
加えて、論理グルーピング１１０２は、近隣セルに位置するＵＥから発生するセル間干渉であり得る干渉を管理するための、電気的コンポーネント１１０８を含み得る。いくつかの態様では、電気的コンポーネント１１０８は、セル間干渉を検出し、および／または、検出された干渉レベルをセル間干渉しきい値と比較するようにさらに構成され得る。加えて、電気的コンポーネント１１０８は、干渉管理コンポーネント６０８（図６、図９）、セル間干渉検出コンポーネント９１４（図９）、および／または、干渉しきい値決定コンポーネント９１６（図９）に対応し得る。
【００９２】
さらに、論理グルーピング１１０２は、非サービング相対許可メッセージなど、相対許可メッセージを１つまたは複数のＵＥへ送信するための、電気的コンポーネント１１１０を含み得る。一態様では、電気的コンポーネント１１０８が、セル間干渉しきい値が満たされているか、または越えられていると判定する場合、電気的コンポーネント１１１０は、電気的コンポーネント１１０８と通信し、電気的コンポーネント１１０８から制御信号を受信することができる。その上、電気的コンポーネント１１１０は、相対許可メッセージ送信コンポーネント９２０（図９）であってもよい。
【００９３】
加えて、システム１１００は、電気的コンポーネント１１０４、１１０６、１１０８、および１１１０に関連付けられた機能を実行するための命令を保持し、電気的コンポーネント１１０４、１１０６、１１０８、および１１１０などによって使用または取得されたデータを記憶する、メモリ１１１２を含み得る。メモリ１１１２の外部にあるものとして示されているが、電気的コンポーネント１１０４、１１０６、１１０８、および１１１０のうちの１つまたは複数は、メモリ１１１２の内部に存在することができることを理解されたい。一例では、電気的コンポーネント１１０４、１１０６、１１０８、および１１１０は、少なくとも１つのプロセッサを備え得るか、または、各電気的コンポーネント１１０４、１１０６、１１０８、および１１１０は、少なくとも１つのプロセッサの対応するモジュールであり得る。その上、追加または代替の例では、電気的コンポーネント１１０４、１１０６、１１０８、および１１１０は、コンピュータ可読媒体を含むコンピュータプログラム製品であり得、各電気的コンポーネント１１０４、１１０６、１１０８、および１１１０は、対応するコードであり得る。
【００９４】
図１２を参照すると、例示的なシステム１２００が、１つまたは複数の通信チャネルを選択的にリセットおよび／または転送するために表示される。たとえば、システム１２００は、少なくとも部分的に、デバイス内に常駐し得る。システム１２００は機能ブロックを含むものとして表されており、その機能ブロックは、プロセッサ、ソフトウェア、またはそれらの組合せ（たとえば、ファームウェア）によって実装される機能を表す機能ブロックであってよいことを諒解されたい。システム１２００は、連携して動作することができる電気的コンポーネントの論理グルーピング１２０２を含む。たとえば、論理グルーピング１２０２は、ＵＥに関連付けられた動作状態を決定し、その動作状態を記憶する、電気的コンポーネント１２０４を含み得る。一態様では、電気的コンポーネント１２０４は、状態決定コンポーネント１０１２（図１０）であってもよい。
【００９５】
その上、論理グルーピング１２０２は、ＵＥがソフトハンドオーバ領域内であるかどうかを判定するための、電気的コンポーネント１２０６を含み得る。一態様では、電気的コンポーネント１２０６は、ＵＥが近隣セルの（１つまたは複数の）パイロット信号を測定することができる、測定継続時間を設定または管理するように、さらに構成され得る。この測定継続時間は、タイマによって追跡または管理され得る。さらに、電気的コンポーネント１２０６は、ソフトハンドオーバしきい値を記憶するように構成され得、測定されたパイロット信号強度をしきい値と比較して、ＵＥがソフトハンドオーバ領域内であるかどうかを判定することができる。加えて、電気的コンポーネント１２０６は、ソフトハンドオーバ領域決定コンポーネント１０１６（図１０）と、測定継続時間管理コンポーネント１０２０（図１０）とであってもよく、タイマ１０２２（図１０）とソフトハンドオーバしきい値１０１８（図１０）とを含み得る。
【００９６】
加えて、論理グルーピング１２０２は、相対許可チャネルをモニタするための電気的コンポーネント１２０８を含み得、電気的コンポーネント１２０８は、限定はしないが、共有された非サービング相対許可チャネルなど、相対許可チャネルをモニタするように構成され得る。一態様では、電気的コンポーネント１２０８は、ＵＥがその伝送特性を改変するべきであることを示すことができる、１つまたは複数の近隣セルからの非サービング相対許可メッセージを受信することができる。さらに、電気的コンポーネント１２０８は、相対許可チャネルモニタコンポーネント１０２４であってもよい。
【００９７】
さらに、論理グルーピング１２０２は、ＵＥ６０４アップリンクのトラフィック特性を調節するための電気的コンポーネント１２１０を含み得る。一態様では、電気的コンポーネント１２１０は、近隣セルまたは関連付けられた近隣セルノードＢが、近隣セルにおけるセル間干渉を回避するためにＵＥ６０４がそのアップリンク伝送特性を調節するべきであることを示しているという、電気的コンポーネント１２０８からの指示を受信することができる。加えて、電気的コンポーネント１２１０は、トラフィック調節コンポーネント１０２６（図１０）であってもよい。
【００９８】
加えて、システム１２００は、電気的コンポーネント１２０４、１２０６、１２０８、および１２１０に関連付けられた機能を実行するための命令を保持し、電気的コンポーネント１２０４、１２０６、１２０８、および１２１０などによって使用または取得されたデータを記憶する、メモリ１２１２を含み得る。メモリ１２１２の外部にあるものとして示されているが、電気的コンポーネント１２０４、１２０６、１２０８、および１２１０のうちの１つまたは複数は、メモリ１２１２の内部に存在することができることを理解されたい。一例では、電気的コンポーネント１２０４、１２０６、１２０８、および１２１０は、少なくとも１つのプロセッサを備え得るか、または、各電気的コンポーネント１２０４、１２０６、１２０８、および１２１０は、少なくとも１つのプロセッサの対応するモジュールであり得る。その上、追加または代替の例では、電気的コンポーネント１２０４、１２０６、１２０８、および１２１０は、コンピュータ可読媒体を含むコンピュータプログラム製品であり得、各電気的コンポーネント１２０４、１２０６、１２０８、および１２１０は、対応するコードであり得る。
【００９９】
電気通信システムのいくつかの態様を、Ｗ−ＣＤＭＡシステムに関して提示した。当業者なら容易に諒解するように、本開示全体にわたって説明した様々な態様が、他の電気通信システム、ネットワークアーキテクチャ、および通信規格に拡張され得る。
【０１００】
例として、様々な態様は、ＴＤ−ＳＣＤＭＡ、高速ダウンリンクパケットアクセス（ＨＳＤＰＡ）、高速アップリンクパケットアクセス（ＨＳＵＰＡ）、高速パケットアクセスプラス（ＨＳＰＡ＋）およびＴＤ−ＣＤＭＡなどの他のＵＭＴＳシステムに拡張され得る。様々な態様はまた、（ＦＤＤ、ＴＤＤ、または両モードでの）Ｌｏｎｇ  Ｔｅｒｍ  Ｅｖｏｌｕｔｉｏｎ（ＬＴＥ）、（ＦＤＤ、ＴＤＤ、または両モードでの）ＬＴＥ−Ａｄｖａｎｃｅｄ（ＬＴＥ−Ａ）、ＣＤＭＡ２０００、Ｅｖｏｌｕｔｉｏｎ−Ｄａｔａ  Ｏｐｔｉｍｉｚｅｄ（ＥＶ−ＤＯ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｕｌｔｒａ−Ｗｉｄｅｂａｎｄ（ＵＷＢ）、Ｂｌｕｅｔｏｏｔｈ（登録商標）、および／または他の好適なシステムを採用するシステムにも拡張され得る。採用される実際の電気通信規格、ネットワークアーキテクチャ、および／または通信規格は、特定の適用例およびシステムに課せられる全体的な設計制約に依存することになる。
【０１０１】
本開示の様々な態様によれば、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサは、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアは、コンピュータ可読媒体上に常駐し得る。コンピュータ可読媒体は、非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、ならびにコンピュータによってアクセスされ、読み取られ得るソフトウェアおよび／または命令を記憶するための任意の他の好適な媒体を含む。コンピュータ可読媒体はまた、例として、搬送波、伝送線路、ならびに、コンピュータによってアクセスされ、読み取られ得るソフトウェアおよび／または命令を送信するための、任意の他の好適な媒体を含み得る。コンピュータ可読媒体は、処理システムの内部に常駐するか、処理システムの外部にあるか、または処理システムを含む複数のエンティティにわたって分散され得る。コンピュータ可読媒体は、コンピュータプログラム製品において実施され得る。例として、コンピュータプログラム製品は、パッケージング材料中にコンピュータ可読媒体を含み得る。当業者なら、特定の適用例および全体的なシステムに課せられた全体的な設計制約に応じて、本開示全体にわたって提示される記載の機能をどのようにしたら最も良く実装することができるかを認識されよう。
【０１０２】
開示した方法におけるステップの特定の順序または階層は、例示的なプロセスの一例であることを理解されたい。設計上の選好に基づいて、方法におけるステップの特定の順序または階層は並べ替えることができることを理解されたい。添付の方法クレームは、様々なステップの要素を例示的な順序で提示したものであり、本明細書中で特に記載されない限り、提示される特定の順序または階層に限定されるものではない。
【０１０３】
以上の説明は、当業者が本明細書で説明した様々な態様を実行できるようにするために提供したものである。これらの態様に対する様々な変更は当業者には容易に明らかであり、本明細書で定義した一般的原理は他の態様に適用することができる。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。項目のリスト「のうちの少なくとも１つ」を指す句は、個々のメンバーを含む、それらの項目の任意の組合せを指す。一例として、「ａ、ｂまたはｃのうちの少なくとも１つ」は、ａと、ｂと、ｃと、ａおよびｂと、ａおよびｃと、ｂおよびｃと、ａ、ｂおよびｃとを包含するように意図されている。当業者に知られている、または後に知られるようになる、本開示全体にわたって説明する様々な態様の要素の構造的および機能的な均等物のすべては、参照により本明細書に明確に組み込まれ、特許請求の範囲によって包含されるように意図されている。その上、本明細書に開示したいかなることも、そのような開示が特許請求の範囲に明示的に具陳されているかどうかにかかわらず、公に供するものではない。いかなるクレーム要素も、その要素が「手段」という語句を使用して明白に具陳されていない限り、または方法クレームの場合には、その要素が「ステップ」という語句を使用して具陳されていない限り、米国特許法第１１２条第６項の規定に基づいて解釈されるべきではない。
以下に、本願出願の当初の特許請求の範囲に記載された発明を付記する。
［Ｃ１］
セル間干渉を管理する方法であって、
１つまたは複数の近隣セルを示す近隣セル識別セットを受信することと、
前記１つまたは複数の近隣セルのうちの少なくとも１つによって共有された相対許可チャネルに対応する、相対許可チャネルリソースインデックスを受信することと、
前記１つまたは複数の近隣セル内のユーザ機器（ＵＥ）に関連付けられたセル間干渉を検出することと、
前記ＵＥに関連付けられた前記セル間干渉を検出したことに応答して、前記相対許可チャネル上で前記ＵＥへ非サービング相対許可メッセージを送信することと
を備える方法。
［Ｃ２］
前記セル間干渉がセル間干渉しきい値に達していると決定することをさらに備え、前記非サービング相対許可メッセージを送信することは、前記セル間干渉しきい値に達すると決定することに基づく、
［Ｃ１］に記載の方法。
［Ｃ３］
前記相対許可チャネル上での前記ＵＥへの前記非サービング相対許可メッセージの前記送信は、前記ＵＥに関連付けられた前記セル間干渉がしきい値に達するときに生じる、
［Ｃ１］に記載の方法。
［Ｃ４］
前記１つまたは複数の近隣セルの各々が前記相対許可チャネルを介して通信するように構成されるかどうかを示す、前記１つまたは複数の近隣セルの各々に関連付けられた適合性インジケータを受信することをさらに備え、前記送信することは、前記適合性インジケータに基づく、
［Ｃ１］に記載の方法。
［Ｃ５］
前記ＵＥへ送信することは、ＣＥＬＬ＿ＦＡＣＨ状態における前記ＵＥへ送信することをさらに備える、
［Ｃ１］に記載の方法。
［Ｃ６］
前記相対許可チャネル上で送信することは、１つまたは複数のノードＢによって共有されたチャネル上で送信することをさらに備える、
［Ｃ１］に記載の方法。
［Ｃ７］
セル間干渉を管理するための装置であって、
１つまたは複数の近隣セルを示す近隣セル識別セットを受信するための手段と、
前記１つまたは複数の近隣セルのうちの少なくとも１つによって共有された相対許可チャネルに対応する、相対許可チャネルリソースインデックスを受信するための手段と、
前記１つまたは複数の近隣セル内のユーザ機器（ＵＥ）に関連付けられたセル間干渉を検出するための手段と、
前記ＵＥに関連付けられた前記セル間干渉を検出したことに応答して、前記相対許可チャネル上で前記ＵＥへ非サービング相対許可メッセージを送信するための手段と
を備える装置。
［Ｃ８］
前記セル間干渉がセル間干渉しきい値に達していると決定するための手段をさらに備え、前記非サービング相対許可メッセージを送信するための前記手段は、前記セル間干渉しきい値に達すると決定することに基づいて、前記非サービング相対許可メッセージを送信する、
［Ｃ７］に記載の装置。
［Ｃ９］
前記相対許可チャネル上で前記ＵＥへ前記非サービング相対許可メッセージを送信するための前記手段は、前記ＵＥに関連付けられた前記セル間干渉がしきい値に達するときに生じる、
［Ｃ７］に記載の装置。
［Ｃ１０］
前記ＵＥへ送信する前記手段は、ＣＥＬＬ＿ＦＡＣＨ状態における前記ＵＥへ送信するための手段をさらに備える、
［Ｃ７］に記載の装置。
［Ｃ１１］
セル間干渉を管理するためのコンピュータプログラム製品であって、
１つまたは複数の近隣セルを示す近隣セル識別セットを受信することと、
前記１つまたは複数の近隣セルのうちの少なくとも１つによって共有された相対許可チャネルに対応する、相対許可チャネルリソースインデックスを受信することと、
前記１つまたは複数の近隣セル内のユーザ機器（ＵＥ）に関連付けられたセル間干渉を検出することと、
前記ＵＥに関連付けられた前記セル間干渉を検出したことに応答して、前記相対許可チャネル上で前記ＵＥへ非サービング相対許可メッセージを送信することと
を行うためのコードを備えるコンピュータ可読媒体
を備えるコンピュータプログラム製品。
［Ｃ１２］
前記セル間干渉がセル間干渉しきい値に達していると決定することを行うためのコードをさらに備え、前記非サービング相対許可メッセージを送信することを行うための前記コードは、前記セル間干渉しきい値に達すると決定することに基づいて、前記非サービング相対許可メッセージを送信することを行うためのコードを備える、
［Ｃ１１］に記載のコンピュータプログラム製品。
［Ｃ１３］
前記相対許可チャネル上での前記ＵＥへの前記非サービング相対許可メッセージの送信を行うための前記コードは、前記ＵＥに関連付けられた前記セル間干渉がしきい値に達するとき、前記非サービング相対許可メッセージを送信することを行うためのコードを備える、
［Ｃ１１］に記載のコンピュータプログラム製品。
［Ｃ１４］
前記ＵＥへ送信することを行うための前記コードは、ＣＥＬＬ＿ＦＡＣＨ状態における前記ＵＥへ送信することを行うためのコードをさらに備える、
［Ｃ１１］に記載のコンピュータプログラム製品。
［Ｃ１５］
セル間干渉を管理するための装置であって、
少なくとも１つのプロセッサと、
前記少なくとも１つのプロセッサに結合されたメモリとを備え、前記少なくとも１つのプロセッサが、
１つまたは複数の近隣セルを示す近隣セル識別セットを受信することと、
前記１つまたは複数の近隣セルのうちの少なくとも１つによって共有された相対許可チャネルに対応する、相対許可チャネルリソースインデックスを受信することと、
前記１つまたは複数の近隣セル内のユーザ機器（ＵＥ）に関連付けられたセル間干渉を検出することと、
前記ＵＥに関連付けられた前記セル間干渉を検出したことに応答して、前記相対許可チャネル上で前記ＵＥへ非サービング相対許可メッセージを送信することと
を行うように構成される装置。
［Ｃ１６］
前記少なくとも１つのプロセッサは、前記セル間干渉がセル間干渉しきい値に達していると決定することを行うようにさらに構成され、前記非サービング相対許可メッセージを送信することが、前記セル間干渉しきい値に達すると決定することに基づく、
［Ｃ１５］に記載の装置。
［Ｃ１７］
前記相対許可チャネル上での前記ＵＥへの前記非サービング相対許可メッセージの前記送信は、前記ＵＥに関連付けられた前記セル間干渉がしきい値に達するときに生じる、
［Ｃ１５］に記載の装置。
［Ｃ１８］
前記少なくとも１つのプロセッサは、前記１つまたは複数の近隣セルの各々が前記相対許可チャネルを介して通信するように構成されるかどうかを示す、前記１つまたは複数の近隣セルの各々に関連付けられた適合性インジケータを受信することを行うようにさらに構成され、前記送信することが、前記適合性インジケータに基づく、
［Ｃ１５］に記載の装置。
［Ｃ１９］
前記ＵＥへ送信することは、ＣＥＬＬ＿ＦＡＣＨ状態における前記ＵＥへ送信することをさらに備える、
［Ｃ１５］に記載の装置。
［Ｃ２０］
前記相対許可チャネル上で送信することが、１つまたは複数のノードＢによって共有されたチャネル上で送信することをさらに備える、
［Ｃ１５］に記載の装置。
［Ｃ２１］
セル間干渉を管理するための方法であって、
ユーザ機器（ＵＥ）において、前記ＵＥがソフトハンドオーバ領域内であるかどうかを判定することと、
前記判定に基づいて、相対許可チャネルをモニタすることと、
非サービング近隣セルから非サービング相対許可メッセージを受信することと、
前記非サービング相対許可メッセージに基づいて、１つまたは複数のアップリンク伝送特性を調節することと
を備える方法。
［Ｃ２２］
前記ＵＥは、ＣＥＬＬ＿ＦＡＣＨ状態にあり、前記ソフトハンドオーバ領域は、前記ＵＥがＣＥＬＬ＿ＤＣＨ状態で動作中であった場合に、前記ＵＥがソフトハンドオーバに利用可能になるであろう領域として定義される、
［Ｃ２１］に記載の方法。
［Ｃ２３］
前記ＵＥがソフトハンドオーバ領域内であるかどうかを判定することは、
最小のセルモニタ期間にわたって生じる、［Ｃ２１］に記載の方法。
［Ｃ２４］
前記ＵＥがソフトハンドオーバ領域内であるかどうかを判定することは、
１つまたは複数の近隣セルノードＢから送信された１つまたは複数のパイロット信号を測定することと、
前記１つまたは複数のパイロット信号を、ソフトハンドオーバしきい値と比較することと、
前記１つまたは複数のパイロット信号が前記ソフトハンドオーバしきい値を満たすか、または越えると決定することと
をさらに備える、［Ｃ２１］に記載の方法。
［Ｃ２５］
セル間干渉を管理するための装置であって、
ユーザ機器（ＵＥ）において、前記ＵＥがソフトハンドオーバ領域内であるかどうかを判定するための手段と、
前記判定に基づいて、相対許可チャネルをモニタするための手段と、
非サービング近隣セルから非サービング相対許可メッセージを受信するための手段と、
前記非サービング相対許可メッセージに基づいて、１つまたは複数のアップリンク伝送特性を調節するための手段と
を備える装置。
［Ｃ２６］
前記ＵＥは、ＣＥＬＬ＿ＦＡＣＨ状態にあり、前記ソフトハンドオーバ領域は、前記ＵＥがＣＥＬＬ＿ＤＣＨ状態で動作中であった場合に、前記ＵＥがソフトハンドオーバに利用可能になるであろう領域として定義される、
［Ｃ２５］に記載の装置。
［Ｃ２７］
セル間干渉を管理するためのコンピュータプログラム製品であって、
ユーザ機器（ＵＥ）において、前記ＵＥがソフトハンドオーバ領域内であるかどうかを判定することと、
前記判定に基づいて、相対許可チャネルをモニタすることと、
非サービング近隣セルから非サービング相対許可メッセージを受信することと、
前記非サービング相対許可メッセージに基づいて、１つまたは複数のアップリンク伝送特性を調節することと
を行うためのコードを備えるコンピュータ可読媒体
を備えるコンピュータプログラム製品。
［Ｃ２８］
前記ＵＥは、ＣＥＬＬ＿ＦＡＣＨ状態にあり、前記ソフトハンドオーバ領域は、前記ＵＥがＣＥＬＬ＿ＤＣＨ状態で動作中であった場合に、前記ＵＥがソフトハンドオーバに利用可能になるであろう領域として定義される、
［Ｃ２７］に記載のコンピュータプログラム製品。
［Ｃ２９］
セル間干渉を管理するための装置であって、
少なくとも１つのプロセッサと、
前記少なくとも１つのプロセッサに結合されたメモリとを備え、前記少なくとも１つのプロセッサは、
ユーザ機器（ＵＥ）において、前記ＵＥがソフトハンドオーバ領域内であるかどうかを判定することと、
前記判定に基づいて、相対許可チャネルをモニタすることと、
非サービング近隣セルから非サービング相対許可メッセージを受信することと、
前記非サービング相対許可メッセージに基づいて、１つまたは複数のアップリンク伝送特性を調節することと
を行うように構成される装置。
［Ｃ３０］
前記ＵＥは、ＣＥＬＬ＿ＦＡＣＨ状態にあり、前記ソフトハンドオーバ領域は、前記ＵＥがＣＥＬＬ＿ＤＣＨ状態で動作中であった場合に、前記ＵＥがソフトハンドオーバに利用可能になるであろう領域として定義される、
［Ｃ２９］に記載の装置。
【図１】
0005718486.tif 000002
【図２】
0005718486.tif 000003
【図３】
0005718486.tif 000004
【図４】
0005718486.tif 000005
【図５】
0005718486.tif 000006
【図６】
0005718486.tif 000007
【図７】
0005718486.tif 000008
【図８】
0005718486.tif 000009
【図９】
0005718486.tif 000010
【図１０】
0005718486.tif 000011
【図１１】
0005718486.tif 000012
【図１２】
0005718486.tif 000013